(57)【要約】      （修正有）【課題】リモート機器へ第１の送信パワーレベルでワイヤレスローカルエリアネットワーク（ＷＬＡＮ）アクノウリッジメント（ＡＣＫ）パケットを送信することを含む、ワイヤレスローカルエリアネットワーク（ＷＬＡＮ）におけるリモートデータレートのパワー不均衡の影響軽減方法を提供する。【解決手段】方法は、ＷＬＡＮ  ＡＣＫパケットの第１の送信パワーレベルより低い第２の送信パワーレベルでＷＬＡＮデータパケットを、リモート機器へ、送信することを、さらに含む。ワイヤレスローカルエリアネットワーク（ＷＬＡＮ）における、リモートデータレートにおけるパワー不均衡の影響の軽減方法は、ＷＬＡＮデータパケットが受信されるレートから独立してワイヤレスローカルエリアネットワーク（ＷＬＡＮ）アクノウリッジメント（ＡＣＫ）パケット送信レートを選択することができる。【選択図】図１１
2015181263.tif 000002
【特許請求の範囲】
【請求項１】
ワイヤレスローカルエリアネットワーク（ＷＬＡＮ）システムにおけるワイヤレス通信に関する方法であって、
リモート機器へ第１の送信パワーレベルでワイヤレスローカルエリアネットワーク（ＷＬＡＮ）アクノウリッジメント（ＡＣＫ）パケットを送信すること、
および、
該ＷＬＡＮ  ＡＣＫパケットの該第１の送信パワーレベルより低い第２の送信パワーレベルでＷＬＡＮデータパケットを、該リモート機器へ、送信すること、
を備える、方法。
【請求項２】
請求項１の方法であって、
マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択すること、
をさらに備える、方法。
【請求項３】
請求項１の方法であって、
該ＷＬＡＮ  ＡＣＫパケットからマルチ−無線局の他のブロードバンド無線モデムに対する干渉のレベルに従って、該ＷＬＡＮ  ＡＣＫパケットに関する該第１の送信パワーレベルを選択すること、
をさらに備える、方法。
【請求項４】
請求項１の方法であって、
ＷＬＡＮ  ＡＣＫパケット送信パワーレベルに関するＡＣＫパワーバック−オフレベルを格納すること、
ＷＬＡＮデータパケット送信パワーレベルに関するデータパワーバック−オフレベルを格納すること、
該格納されたＡＣＫパワーバック−オフレベルに基づく該第１の送信パワーレベルで該ＷＬＡＮ  ＡＣＫパケットを送信すること、
および、
該格納されたデータパワーバック−オフレベルに基づく該第２の送信パワーレベルで該ＷＬＡＮデータパケットを送信すること、
をさらに備える、方法。
【請求項５】
請求項４の方法であって、
マルチ−無線局とＷＬＡＮアクセスポイントとの間のパス−ロス、ＡＣＫパケット物理レイヤレート、および、該ＡＣＫパケット物理レイヤレートでＡＣＫパケットを受信するための該ＷＬＡＮアクセスポイントのレシーバの所定の感度に従って、該格納されたデータパワーバック−オフレベルをセットすること、
をさらに備える、方法。
【請求項６】
請求項４の方法であって、
マルチ−無線局のワイヤレスモデムの受信した信号強度、マルチ−無線局とＷＬＡＮアクセスポイントとの間のパス−ロス、および、ＡＣＫパケット物理レイヤレートでＡＣＫパケットを受信するための該ＷＬＡＮアクセスポイントのレシーバの所定の感度に従って、該格納されたデータパワーバック−オフレベルをセットすること、
をさらに備える、方法。
【請求項７】
ワイヤレスローカルエリアネットワーク（ＷＬＡＮ）システムにおけるワイヤレス通信に関して構成された装置であって、
該装置は、
メモリ、および、該メモリに結合された少なくとも１つのプロセッサを備え、
該少なくとも１つのプロセッサは、
リモート機器へ第１の送信パワーレベルでワイヤレスローカルエリアネットワーク（ＷＬＡＮ）アクノウリッジメント（ＡＣＫ）パケットを送信するために、
および、
該ＷＬＡＮ  ＡＣＫパケットの該第１の送信パワーレベルより低い第２の送信パワーレベルでＷＬＡＮデータパケットを、該リモート機器へ、送信するために、
構成される、
装置。
【請求項８】
請求項７の装置であって、
そこにおいて、該少なくとも１つのプロセッサは、マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択するために、さらに構成されている、装置。
【請求項９】
請求項７の装置であって、
そこにおいて、該少なくとも１つのプロセッサは、該ＷＬＡＮ  ＡＣＫパケットからマルチ−無線局の他のブロードバンド無線モデムに対する干渉のレベルに従って、該ＷＬＡＮ  ＡＣＫパケットに関する該第１の送信パワーレベルを選択するために、さらに構成されている、装置。
【請求項１０】
請求項７の装置であって、
そこにおいて、該少なくとも１つのプロセッサは、
ＷＬＡＮ  ＡＣＫパケット送信パワーレベルに関するＡＣＫパワーバック−オフレベルを格納するために、
ＷＬＡＮデータパケット送信パワーレベルに関するデータパワーバック−オフレベルを格納するために、
該格納されたＡＣＫパワーバック−オフレベルに基づく該第１の送信パワーレベルで該ＷＬＡＮ  ＡＣＫパケットを送信するために、
および、
該格納されたデータパワーバック−オフレベルに基づく該第２の送信パワーレベルで該ＷＬＡＮデータパケットを送信するために、
さらに構成されている、装置。
【請求項１１】
請求項１０の装置であって、
そこにおいて、該少なくとも１つのプロセッサは、マルチ−無線局とＷＬＡＮアクセスポイントとの間のパス−ロス、ＡＣＫパケット物理レイヤレート、および、該ＡＣＫパケット物理レイヤレートでＡＣＫパケットを受信するための該ＷＬＡＮアクセスポイントのレシーバの所定の感度に従って、該格納されたデータパワーバック−オフレベルをセットするために、さらに構成されている、装置。
【請求項１２】
請求項１０の装置であって、
そこにおいて、該少なくとも１つのプロセッサは、マルチ−無線局のワイヤレスモデムの受信した信号強度、該マルチ−無線局とＷＬＡＮアクセスポイントとの間のパス−ロス、および、ＡＣＫパケット物理レイヤレートでＡＣＫパケットを受信するための該ＷＬＡＮアクセスポイントのレシーバの所定の感度に従って、該格納されたデータパワーバック−オフレベルをセットするために、さらに構成されている、装置。
【請求項１３】
ワイヤレスローカルエリアネットワーク（ＷＬＡＮ）システムにおけるワイヤレス通信に関して構成されたコンピュータプログラムプロダクトであって、
該コンピュータプログラムプロダクトは、
その上に記録された非一時的なプログラムコードを有する非一時的なコンピュータ可読媒体を備え、
該プログラムコードは、
リモート機器へ第１の送信パワーレベルでワイヤレスローカルエリアネットワーク（ＷＬＡＮ）アクノウリッジメント（ＡＣＫ）パケットを送信するためのプログラムコード、
および、
該ＷＬＡＮ  ＡＣＫパケットの該第１の送信パワーレベルより低い第２の送信パワーレベルでＷＬＡＮデータパケットを、該リモート機器へ、送信するためのプログラムコード
を備える、
プログラムプロダクト。
【請求項１４】
請求項１３のコンピュータプログラムプロダクトであって、
そこにおいて、該プログラムコードは、マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択するためのプログラムコードを、さらに備えるプログラムプロダクト。
【請求項１５】
ワイヤレスローカルエリアネットワーク（ＷＬＡＮ）システムにおけるワイヤレス通信に関して構成された装置であって、
該装置は、
リモート機器へ第１の送信パワーレベルでワイヤレスローカルエリアネットワーク（ＷＬＡＮ）アクノウリッジメント（ＡＣＫ）パケットを送信するための手段、
および、
該ＷＬＡＮ  ＡＣＫパケットの該第１の送信パワーレベルより低い第２の送信パワーレベルでＷＬＡＮデータパケットを、該リモート機器へ、送信するための手段
を備える、装置。
【請求項１６】
請求項１５の装置であって、
マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択するための手段を、さらに備える、装置。
【請求項１７】
ワイヤレスローカルエリアネットワーク（ＷＬＡＮ）システムにおけるワイヤレス通信の方法であって、
ＷＬＡＮデータパケットが受信されるレートから独立してワイヤレスローカルエリアネットワーク（ＷＬＡＮ）アクノウリッジメント（ＡＣＫ）パケット送信レートを選択すること、
および、
該選択されたＷＬＡＮ  ＡＣＫパケット送信レートでＷＬＡＮ  ＡＣＫパケットを、リモート機器へ、送信すること、
を備える、方法。
【請求項１８】
請求項１７の方法であって、
そこにおいて、該ＷＬＡＮデータパケットの送信レートがＷＬＡＮベーシックサービスセットにおいて規定された最低レートであると仮定することによって、該ＷＬＡＮ  ＡＣＫパケット送信レートが選択される、方法。
【請求項１９】
請求項１７の方法であって、
そこにおいて、該ＷＬＡＮシステムのＷＬＡＮ規格は、電子および電気技術学会（ＩＥＥＥ）８０２．１１ａｆ規格またはＩＥＥＥ８０２．１１ａｈ規格である、方法。
【請求項２０】
ワイヤレスローカルエリアネットワーク（ＷＬＡＮ）システムにおけるワイヤレス通信に関して構成された装置であって、
該装置は、
メモリ、および、該メモリに結合された少なくとも１つのプロセッサを備え、
該少なくとも１つのプロセッサは、
ＷＬＡＮデータパケットが受信されるレートから独立してワイヤレスローカルエリアネットワーク（ＷＬＡＮ）アクノウリッジメント（ＡＣＫ）パケット送信レートを選択するために、
および、
該選択されたＷＬＡＮ  ＡＣＫパケット送信レートでＷＬＡＮ  ＡＣＫパケットを、リモート機器へ、送信するために、
構成される、
装置。
【請求項２１】
ワイヤレスローカルエリアネットワーク（ＷＬＡＮ）システムにおけるワイヤレス通信に関して構成されたコンピュータプログラムプロダクトであって、
該コンピュータプログラムプロダクトは、
その上に記録された非一時的なプログラムコードを有する非一時的なコンピュータ可読媒体を備え、
該プログラムコードは、
ＷＬＡＮデータパケットが受信されるレートから独立してワイヤレスローカルエリアネットワーク（ＷＬＡＮ）アクノウリッジメント（ＡＣＫ）パケット送信レートを選択するためのプログラムコード、
および、
該選択されたＷＬＡＮ  ＡＣＫパケット送信レートを、リモート機器へ、送信するためのプログラムコード、
を備える、
プログラムプロダクト。
【請求項２２】
ワイヤレスローカルエリアネットワーク（ＷＬＡＮ）システムにおけるワイヤレス通信に関して構成された装置であって、
該装置は、
ＷＬＡＮデータパケットが受信されるレートから独立してワイヤレスローカルエリアネットワーク（ＷＬＡＮ）アクノウリッジメント（ＡＣＫ）パケット送信レートを選択するための手段、
および、
該選択されたＷＬＡＮ  ＡＣＫパケット送信レートでＷＬＡＮ  ＡＣＫパケットを、リモート機器へ、送信するための手段、
を備える、装置。
【発明の詳細な説明】
【関連出願への相互参照】
【０００１】
［0001］  この特許出願は、エイ．ケイ．サデック（A．K．Sadek）その他によって２０１１年１０月２６日に出願された米国仮出願６１／５５１，８９６、および、エイ．ケイ．サデック（A．K．Sadek）その他によって２０１２年７月１２日に出願された米国実用特許出願１３／５４７，６９６の利益を主張し、それらにおける開示はここでの参照によりそれらの全てが明確に包含されている。
【技術分野】
【０００２】
［0002］  この説明は、一般的には、マルチ−無線技術に関し、より詳細には、ワイヤレスローカルエリアネットワーク（ＷＬＡＮ）においてリモートデータレートにおけるパワー不均衡の影響の軽減に関する技術に関する。
【背景技術】
【０００３】
［0003］  ワイヤレス通信システムは、音声、データ等のような、さまざまなタイプの通信コンテンツを提供するように、幅広く展開されている。これらのシステムは、利用可能なシステムリソース（例えば、帯域幅および送信パワー）を共有することによって多数のユーザとの通信をサポートすることのできるマルチプル−接続システムであることができる。このようなマルチプル接続ネットワークの例は、コード分割マルチプル接続（ＣＤＭＡ）システム、時間分割マルチプル接続（ＴＤＭＡ）システム、周波数分割マルチプル接続（ＦＤＭＡ）システム、３ＧＰＰロングタームエボリューション（ＬＴＥ）システム、ならびに、直交周波数分割マルチプル接続（ＯＦＤＭＡ）システムを含む。
【０００４】
［0004］  一般に、ワイヤレスマルチプル−接続通信システムは、マルチプルワイヤレス端末のための通信を同時にサポートすることができる。各端末は、順方向および逆方向リンク上の送信を介して、１つまたはより多くの基地局と通信する。順方向リンク（すなわち、ダウンリンク）は、基地局から端末への通信リンクを指し、そして、逆方向リンク（すなわち、アップリンク）は、端末から基地局への通信リンクを指す。これらの通信リンクは、シングル−イン−シングル−アウト、マルチプル−イン−シングル−アウト、または、マルチプル−イン−マルチプルアウト（ＭＩＭＯ）システムによって、確立できる。
【０００５】
［0005］  いくつかの従来の先進的機器は、異なる無線接続技術（ＲＡＴｓ）を用いる送信／受信のためのマルチプル無線を含む。ＲＡＴｓの例は、例えば、ユニバーサル移動通信システム（ＵＭＴＳ）、移動通信のためのグローバルシステム（ＧＳＭ（登録商標））、ｃｄｍａ２０００、ＷｉＭＡＸ、ＷＬＡＮ（例えば、ＷｉＦｉ）、ブルートゥース、ＬＴＥ、そして類するものを含む。
【０００６】
［0006］  移動機器の１つの例は、第４世代（４Ｇ）移動電話のようなＬＴＥユーザ装置（ＵＥ）を含む。そのような４Ｇ電話は、ユーザのための様々な機能を提供するための様々な無線を含むことができる。この例の目的に関して、４Ｇ電話は、音声とデータのためのＬＴＥ無線、ＩＥＥＥ８０２．１１（ＷｉＦｉ）無線、グローバルポジショニングシステム（ＧＰＳ）無線、および、ブルートゥース無線を含んでおり、そこで、上記の２つもしくは４つすべてが同時に動作することができる。異なる無線が電話のために有用な機能を提供する一方で、１つの機器の中に含まれるそれらが共存の問題を引き起こす。特に、１つの無線の動作は、無線的に、伝導的に、資源の競合、および／または、ほかの干渉メカニズムを通して、他の無線の動作と干渉することが、いくつかの場合において、できる。共存の問題はそのような干渉を含む。
【０００７】
［0007］  産業科学および医療用（ＩＳＭ）バンドと隣接し、それとともに干渉を引き起こすことができるＬＴＥアップリンクチャネルに関して特に真である。ブルートゥースといくつかのワイヤレスＬＡＮ（ＷＬＡＮ）チャネルがＩＳＭバンドの範囲に入ることに注意する。いくつかの場合において、ブルートゥースのエラーレートは、ＬＴＥがいくつかのブルートゥースチャネル状況に関するイーブンバンド４０またはバンド７のいくつかのチャネルで動作するとき、許容できないものとなり得る。ＬＴＥに意味のある劣化がない場合でさえ、ブルートゥースとの同時動作は、ブルートゥースヘッドセットにおいて、音声サービスの中断を、途絶をもたらすことができる。このような途絶は、使用者に受け入れがたいものとなりうる。同様な問題が、ＬＴＥ送信がＧＰＳに干渉するときに起こる。現在、それ自身がいかなる劣化も受けないことによって、ＬＴＥからこの問題を解決できるメカニズムはない。
【０００８】
［0008］  特にＬＴＥに関して、ダウンリンク上でＵＥによって見られる干渉をエボルブドノードＢ（ｅＮＢ；例えば、無線通信ネットワークのための基地局）に報知するために、ユーザ装置がｅＮＢと通信することに注意する。そのうえ、ｅＮＢはダウンリンクのエラーレートを使ってＵＥにおける干渉を推定することができうる。いくつかの場合において、ｅＮＢとＵＥは、ＵＥそれ自体の中の無線に起因する干渉であってさえも、ＵＥにおける干渉を減らすための解を見つけるために協力することができる。しかしながら、従来のＬＴＥにおいて、干渉は、ダウンリンクが干渉を包括的にアドレスするのに十分でないことに関して推測する。
【０００９】
［0009］  １つの場合において、ＬＴＥアップリンク信号はブルートゥースの信号、または、ＷＬＡＮの信号と干渉する。しかしながら、このような干渉は、ｅＮＢにおいて、ダウンリンクの測定報告に反映されない。結果として、ＵＥの一部における一方的な動作（例えば、アップリンク信号を異なるチャネルに移動）は、アップリンクの共存の問題に気が付かず、そして、該一方的な動作を取り消そうと試みるｅＮＢによって妨害され得る。例えば、もしＵＥが異なる周波数チャネルで接続を再確立しても、ネットワークは機器内の干渉によって悪化された元の周波数チャネルに戻すようＵＥをなおもハンドオーバーすることができる。悪化したチャネルの所望の信号強度が、ｅＮＢへの参照信号受信電力（ＲＳＲＰ）に基づく新しいチャネルの測定報告に反映されたものより、時々、より高くなりうるのは、ありそうな状況である。よって、もしｅＮＢがハンドオーバーの判定にＲＳＲＰ報告を用いるなら、要求されたチャネルと悪化したチャネルとの間で行ったり来たり遷移するピンポン効果が発生し得る。
【００１０】
［0010］  ｅＮＢの調整なしにアップリンクの通信を単に停止するようなＵＥの一部における他の一方的な動作がｅＮＢにおけるパワーループ誤動作を引き起こし得る。従来のＬＴＥに存在する付加的問題は、共存する問題を有する構成に代わるような所望の構成を提案するためのＵＥの部分における能力の全般的不足を含む。少なくとも、これらの理由により、ＵＥにおけるアップリンクの共存の問題は、ＵＥの他の無線に関する効率と性能を低下させ、長い期間、解決せずに残り得る。
【発明の概要】
【００１１】
［0011］  この開示の１つの観点に従い、ワイヤレスローカルエリアネットワーク（ＷＬＡＮ）におけるリモートデータレートにおけるパワー不均衡の影響の軽減に関する方法が説明される。該方法は、リモート機器へ最初の送信パワーレベルでワイヤレスローカルエリアネットワーク（ＷＬＡＮ）アクノウリッジメント（ＡＣＫ）パケットを送信することを含む。該方法は、ＷＬＡＮ  ＡＣＫパケットの最初の送信パワーレベルより低い第２の送信パワーレベルでＷＬＡＮデータパケットを、該リモート機器へ送信することを、さらに、含む。
【００１２】
［0012］  別の観点において、ワイヤレスローカルエリアネットワーク（ＷＬＡＮ）におけるリモートデータレートにおけるパワー不均衡の影響の軽減に関する装置が説明される。該装置は、少なくとも１つのプロセッサを含み、そして、該少なくとも１つのプロセッサに結合されたメモリを含む。該プロセッサ（the processor(s)）は、リモート機器への最初の送信パワーレベルでワイヤレスローカルエリアネットワーク（ＷＬＡＮ）アクノウリッジメント（ＡＣＫ）パケットの送信を設定する。該プロセッサ（the processor(s)）は、ＷＬＡＮ  ＡＣＫパケットの最初の送信パワーレベルより低い第２の送信パワーレベルでＷＬＡＮデータパケットの、該リモート機器への送信を設定する。
【００１３】
［0013］  さらなる観点において、ワイヤレスローカルエリアネットワーク（ＷＬＡＮ）におけるリモートデータレートにおけるパワー不均衡の影響の軽減に関するコンピュータプログラムプロダクトが説明される。該コンピュータプログラムプロダクトは、そこに記録されたプログラムコードを有する非一時的なコンピュータ可読媒体を含む。該コンピュータプログラムプロダクトは、リモート機器へ最初の送信パワーレベルでワイヤレスローカルエリアネットワーク（ＷＬＡＮ）アクノウリッジメント（ＡＣＫ）パケットを送信するためのプログラムコードを有する。該コンピュータプログラムプロダクトは、ＷＬＡＮ  ＡＣＫパケットの最初の送信パワーレベルより低い第２の送信パワーレベルでＷＬＡＮデータパケットを、該リモート機器へ送信するためのプログラムコードも含む。
【００１４】
［0014］  別の観点において、ワイヤレスローカルエリアネットワーク（ＷＬＡＮ）におけるリモートデータレートにおけるパワー不均衡の影響の軽減に関する装置が説明される。該装置は、リモート機器へ最初の送信パワーレベルでワイヤレスローカルエリアネットワーク（ＷＬＡＮ）アクノウリッジメント（ＡＣＫ）パケットを送信するための手段を含む。該装置は、ＷＬＡＮ  ＡＣＫパケットの最初の送信パワーレベルより低い第２の送信パワーレベルでＷＬＡＮデータパケットを、該リモート機器へ送信するための手段を、さらに、含む。
【００１５】
［0015］  この開示の別の観点に従い、ワイヤレスローカルエリアネットワーク（ＷＬＡＮ）におけるリモートデータレートにおけるパワー不均衡の影響の軽減に関する方法が説明される。該方法は、ＷＬＡＮデータパケットが受信されるレートから独立して、ワイヤレスローカルエリアネットワーク（ＷＬＡＮ）アクノウリッジメント（ＡＣＫ）パケット送信レートを選択することを含む。該方法は、該選択されたＷＬＡＮ  ＡＣＫパケット送信レートでＷＬＡＮ  ＡＣＫパケットを、リモート機器へ送信することを、さらに、含む。
【００１６】
［0016］  別の観点において、ワイヤレスローカルエリアネットワーク（ＷＬＡＮ）におけるリモートデータレートにおけるパワー不均衡の影響の軽減に関する装置が説明される。該装置は、少なくとも１つのプロセッサを含み、そして、該少なくとも１つのプロセッサに結合されたメモリを含む。該プロセッサ（the processor(s)）は、ＷＬＡＮデータパケットが受信されるレートから独立したワイヤレスローカルエリアネットワーク（ＷＬＡＮ）アクノウリッジメント（ＡＣＫ）パケット送信レートの選択を、設定する。該プロセッサ（the processor(s)）は、該選択されたＷＬＡＮ  ＡＣＫパケット送信レートでＷＬＡＮ  ＡＣＫパケットの、リモート機器への送信も設定する。
【００１７】
［0017］  さらなる観点において、ワイヤレスローカルエリアネットワーク（ＷＬＡＮ）におけるリモートデータレートにおけるパワー不均衡の影響の軽減に関するコンピュータプログラムプロダクトが説明される。該コンピュータプログラムプロダクトは、そこに記録されたプログラムコードを有する非一時的なコンピュータ可読媒体を含む。該コンピュータプログラムプロダクトは、ＷＬＡＮデータパケットが受信されるレートから独立して、ワイヤレスローカルエリアネットワーク（ＷＬＡＮ）アクノウリッジメント（ＡＣＫ）パケット送信レートの選択をするためのプログラムコードを有する。該コンピュータプログラムプロダクトは、該選択されたＷＬＡＮ  ＡＣＫパケット送信レートでＷＬＡＮ  ＡＣＫパケットを、リモート機器へ送信するためのプログラムコードも含む。
【００１８】
［0018］  別の観点において、ワイヤレスローカルエリアネットワーク（ＷＬＡＮ）におけるリモートデータレートにおけるパワー不均衡の影響の軽減に関する装置が説明される。該装置は、ＷＬＡＮデータパケットが受信されるレートから独立して、ワイヤレスローカルエリアネットワーク（ＷＬＡＮ）アクノウリッジメント（ＡＣＫ）パケット送信レートの選択をするための手段を含む。該装置は、該選択されたＷＬＡＮ  ＡＣＫパケット送信レートでＷＬＡＮ  ＡＣＫパケットを、リモート機器へ送信するための手段を、さらに、含む。
【００１９】
［0019］  これは、以下の詳細な説明がより良く理解されうるように、この開示の特徴および技術的利点をどちらかといえば幅広く概説している。本開示のさらなる特徴および利点が以下に説明される。この開示が、本開示と同じ目的を実行するための他の構造を改良または設計するための基礎として容易に利用されうることは、当業者によって理解されるべきである。また、そのような等価の構成が、添付された特許請求の範囲に記載の本開示の教示から逸脱しないことも、当業者によって理解されるべきである。さらなる目的および利点とともに、本開示の構成および動作の方法の両方について、本開示の特徴であると考えられる新規な特徴は、添付図面と関連して考慮されるとき、以下の説明からより良く理解されるであろう。しかしながら、各々の図は、例示および説明のみの目的で提供され、この開示の限定の定義として意図されるものではないことが、明確に理解されるべきである。
【図面の簡単な説明】
【００２０】
［0020］  同様の参照記号が全体を通して同一に扱われている図面と結合して考慮するとき、この開示の特徴、性質および利点は、以下で述べられる詳細な説明から、より明らかになる。
【図１】図１は、１つの観点に従うワイヤレス通信マルチプル接続システムを例示する。
【図２】図２は、１つの観点に従う通信システムのブロックダイヤグラムである。
【図３】図３は、ロングタームエボリューション（ＬＴＥ）通信のダウンリンクにおけるフレーム構成の１例を例示する。
【図４】図４は、ロングタームエボリューション（ＬＴＥ）通信のアップリンクにおけるフレーム構成を概念的に例示するブロックダイヤグラムである。
【図５】図５は、ワイヤレス通信環境の１例を例示する。
【図６】図６は、マルチ−無線ワイヤレス機器に関する構造の１例のブロックダイヤグラムである。
【図７】図７は、所定の判定期間における７例の無線の間の各潜在的衝突を示すグラフである。
【図８】図８は、共存管理（Coexistence Manager）（ＣｘＭ）の経過の１例の工程を示すダイヤグラムである。
【図９】図９は、隣接する周波数バンドを例示するブロックダイヤグラムである。
【図１０】図１０は、この開示の１つの観点に従うマルチ−無線共存管理中のＷＬＡＮ（ワイヤレスローカルエリアネットワーク）においてリモートデータレートにおけるパワー不均衡の影響の軽減に関するシステムのブロックダイヤグラムである。
【図１１】図１１は、この開示の１つの観点に従うリモートデータレートにおけるパワー不均衡の影響の軽減に関する方法を例示するフローダイヤグラムである。
【図１２】図１２は、この開示の１観点に従うパワー不均衡軽減システムを用いる装置に関するハードウェア実装の例を例示するダイヤグラムである。
【図１３】
【図１４】
【詳細な説明】
【００２１】
［0033］  ユーザ装置（ＵＥ）のようなマルチ−無線機器は、同じ時に動作する、その構成する無線機器の様々な１つ１つとの間で共存の問題を受け得る。例えば、ＵＥで動作するロングタームエボリューション（ＬＴＥ）モデムからの送信は、８０２．１１無線のようなワイヤレスローカルエリアネットワーク（ＷＬＡＮ）機器、または、同様なものと用いるためのＵＥレシーバと干渉し得る。この開示の１つの観点において、ワイヤレスローカルエリアネットワーク（ＷＬＡＮ）アクノウリッジメント（ＡＣＫ）パケットは第１のパワーレベルで送信され、そして、ＷＬＡＮデータパケットはＷＬＡＮ  ＡＣＫパケット送信パワーレベルより低い第２のパワーレベルで送信される。この開示のこの観点において、マルチ−無線ワイヤレス局のＷＬＡＮ無線機器とワイヤレスモデムとの間の共存の問題のために低下した送信パワーレベルでワイヤレス局が動作するとき、高められたＡＣＫパケット送信パワーレベルが用いられる。この開示のさらなる観点において、ＷＬＡＮ
ＡＣＫパケット送信レートは、ＷＬＡＮデータパケットが受信されるレートから独立して選択される。
【００２２】
［0034］  コード分割マルチプル接続（ＣＤＭＡ）ネットワーク、時分割マルチプル接続（ＴＤＭＡ）ネットワーク、周波数分割マルチプル接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワーク等のような、さまざまなワイヤレス通信ネットワークに対して、ここで記述した技術を使用することができる。「システム」と「ネットワーク」という用語は、互換性があるように使用されることが多い。ＣＤＭＡネットワークは、ユニバーサル地上無線アクセス（ＵＴＲＡ）、ｃｄｍａ２０００等のような無線技術をインプリメントしうる。ＵＴＲＡは、広帯域ＣＤＭＡ（Ｗ−ＣＤＭＡ（登録商標））および低チップレート（ＬＣＲ）を含む。ＣＤＭＡ２０００は、ＩＳ−２０００、ＩＳ−９５およびＩＳ−８５６規格をカバーする。ＴＤＭＡネットワークは、グローバルシステムフォーモバイル通信（ＧＳＭ）のような無線技術を実現できる。ＯＦＤＭＡネットワークは、発展型ＵＴＲＡ（Ｅ−ＵＴＲＡ）、ＩＥＥＥ ８０２．１１、ＩＥＥＥ ８０２．１６、ＩＥＥＥ ８０２．２０、フラッシュ−ＯＦＤＭ等のような無線技術をインプリメントしうる。ＵＴＲＡ、Ｅ−ＵＴＲＡ、およびＧＳＭは、ユニバーサル移動通信システム（ＵＭＴＳ）の一部である。ロングタームエボリューション（ＬＴＥ）は、Ｅ−ＵＴＲＡを用いるＵＭＴＳの最新の（upcoming）リリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と命名された組織からの文書の中で説明されている。cdma2000は、「第３世代パートナーシッププロジェクト2」（３ＧＰＰ２）と名づけられた組織からの文書の中で説明されている。これらの様々な無線技術および規格は、当該技術分野において周知である。明確にするために、技術のいくつかの観点はＬＴＥに関して以下に記述され、以下の説明の部分においてＬＴＥの専門用語が使用される。
【００２３】
［0035］  単一搬送波変調と周波数領域等化を用いる単一搬送波周波数分割マルチプル接続（ＳＣ−ＦＤＭＡ）は、ここに記述する様々な観点と共に用いられることができる技術である。ＳＣ−ＦＤＭＡは、ＯＦＤＭＡシステムのものと基本的に同一の全体的な複雑性および類似した性能を有する。ＳＣ−ＦＤＭＡ信号は、それが単一搬送波構造を本来備えるために、より低いピーク対平均電力比（ＰＡＰＲ）を有する。ＳＣ−ＦＤＭＡは、送信電力効率の観点においてより低いＰＡＰＲが大いに有益となるモバイル端末における、特にアップリンク通信において、特に大きな注目を集めた。それは、現在、３ＧＰＰロングタームエボリューション（ＬＴＥ）または進化ＵＴＲＡにおける、アップリンクマルチプル接続スキームに関して、検討の仮定である。
【００２４】
［0036］  図１を参照すると、１つの観点に従う、マルチプル接続ワイヤレス通信システムが図示されている。エボルブドノードＢ１００（ｅＮＢ）は、ユーザ装置、および／または、同様のものからの要求を拒否／許可し、パラメータと資源を配分することで、ＬＴＥ通信を管理するための、メモリ資源および処理資源を有するコンピュータ１１５を含む。該ｅＮＢ１００は、アンテナ１０４とアンテナ１０６を含む１つのグループ、アンテナ１０８とアンテナ１１０を含む他のグループ、アンテナ１１２とアンテナ１１４を含む付加グループのマルチプルアンテナグループを持つ。図１では、それぞれのアンテナグループに関して２つのアンテナのみ示しているが、それぞれのアンテナグループに関して、より多くの、または、より少ないアンテナを使用できる。（アクセス端末として参照もされる）ユーザ装置（ＵＥ）１１６はアンテナ１１２と１１４と通信し、同時に、アンテナ１１２と１１４がアップリンク（ＵＬ）１８８を通してＵＥ１１６へ情報を送信する。該ＵＥ１２２はアンテナ１０６と１０８と通信し、同時に、アンテナ１０６と１０８がダウンリンク（ＤＬ）１２６を通してＵＥ１２２へ情報を送信し、および、アップリンク１２４を通してＵＥ１２２から情報を受信する。周波数分割デュプレックス（ＦＤＤ）システムにおいて、通信リンク１１８、１２０、１２４、および１２６は、通信のために異なる周波数を使用し得る。例えば、ダウンリンク１２０は、アップリンク１１８によって使われるのと異なる周波数を使うことができる。
【００２５】
［0037］  そこで通信するように設計されているエリアおよび／またはアンテナのそれぞれのグループは、該ｅＮＢのセクタとしばしば呼ばれる。この観点において、それぞれのアンテナグループは、ｅＮＢ１００によってカバーされたエリアのセクタにおいてＵＥと通信するよう設計されている。
【００２６】
［0038］  ダウンリンク１２０および１２６を通した通信において、ｅＮＢ１００の送信アンテナは、異なるＵＥ１１６および１２２に関して、アップリンクの信号雑音比を高めるために、ビームフォーミングを用いる。同様に、そのカバー範囲で不規則に散らばらせたＵＥへの送信のためのビームフォーミングを用いるｅＮＢは、全てのそのＵＥへシングルアンテナを通して送信するＵＥよりも隣接するセルにおいてＵＥへの干渉の減少をもたらす。
【００２７】
［0039］  ｅＮＢは、端末と通信するために用いられる固定局であり得、そして、基地局、アクセスポイント、または、同様のその他の専門用語でも呼ばれることができる。ＵＥは、アクセス端末、ワイヤレス通信機器、端末、または、同様のその他の専門用語で呼ばれることもできる。
【００２８】
［0040］  図２は、ＭＩＭＯシステム２００における、（ＵＥとしても知られた）レシーバシステム２５０および（ｅＮＢとしても知られた）トランスミッタシステム２１０の１観点のブロックダイヤグラムである。いくつかの場合において、レシーバシステムおよびトランスミッタシステムを含むトランシーバをＵＥとｅＮＢのいずれもがそれぞれ有する。トランスミッタシステム２１０において、データソース２１２から送信（ＴＸ）データプロセッサ２１４に、多数のデータストリームに関するトラフィックデータを提供する。
【００２９】
［0041］  ＭＩＭＯシステムは、データ送信のために、マルチプル（ＮＴ）送信アンテナおよびマルチプル（ＮＲ）受信アンテナを採用する。ＮＴの送信およびＮＲの受信アンテナによって形成されたＭＩＭＯチャネルは、空間チャネルとも呼ばれるＮＳの独立チャネルに分解されることができ、ここで、ＮＳ≦ｍｉｎ｛ＮＴ，ＮＲ｝である。ＮＳの独立チャネルの各々は、次元に該当する。該ＭＩＭＯシステムは、複数の送信および受信アンテナにより生成される付加的な次元を用いれば、改善された性能（例えば、高い処理能力および／または大きな信頼性）を提供することができる。
【００３０】
［0042］  ＭＩＭＯシステムは、時分割デュプレックス（ＴＤＤ）および周波数分割デュプレックス（ＦＤＤ）システムをサポートする。ＴＤＤシステムでは、アップリンクチャネルからダウンリンクチャネルの推定が相互関係の原理によってなされることができるように、アップリンクおよびダウンリンク送信が同じ周波数領域上でなされる。これは、ｅＮＢにおいてマルチプルアンテナが可能なとき、ダウンリンクでの送信ビームフォーミングゲインを導き出すことをｅＮＢに可能にする。
【００３１】
［0043］  １観点では、それぞれのデータストリームは、各送信アンテナを通して送信される。該ＴＸデータプロセッサ２１４は、コード化されたデータを提供するためのそのデータストリームに関して選択された特定のコーディングスキームに基づいて、各データストリームに関して、トラフィックデータをフォーマットし、コード化し、およびインターリーブする。
【００３２】
［0044］  各データストリームについての符号化されたデータは、ＯＦＤＭ技術を使用して、パイロットデータと多重化されることができる。該パイロットデータは、既知の手法で処理された既知のデータパターンであり、チャネルレスポンスを推定するためにレシーバシステムにより用いられうるものである。その後、各データストリームに関する多重化されたパイロットおよびコード化データは、変調シンボルを提供するためのそのデータストリームに関して選択された特定の変調スキーム（例えば、ＢＰＳＫ、ＱＳＰＫ、Ｍ−ＰＳＫ、または、Ｍ−ＱＡＭ）に基づいて、変調（例えば、シンボルマッピング）される。各データストリームに関する変調、および、コーディング、データレートは、メモリ２３２と共に動作するプロセッサ２３０によってなされる指示により決定することができる。
【００３３】
［0045］  それぞれのデータストリームに関する変調シンボルが、その後、ＴＸ   ＭＩＭＯプロセッサ２２０に提供され、それは（例えば、ＯＦＤＭのため）変調シンボルをさらに処理することができる。該ＴＸ  ＭＩＭＯプロセッサ２２０は、その後、ＮＴ変調シンボルストリームをＮＴトランスミッタ（ＴＭＴＲ）２２２ａないし２２２ｔに提供する。いくつかの観点において、ＴＸ   ＭＩＭＯプロセッサ２２０は、データストリームのシンボルと、そのシンボルが送信されるアンテナに、ビームフォーミング重みを適用する。
【００３４】
［0046］  各トランスミッタ２２２は、１つまたはより多くのアナログ信号を提供するために、それぞれのシンボルストリームを受け取り、および処理し、そして、ＭＩＭＯチャネルを通しての送信に適した変調された信号を提供するためのアナログ信号をさらに調整（例えば、増幅し、フィルタリングし、およびアップコンバート）する。トランスミッタ２２２ａないし２２２ｔからのＮＴ変調信号は、その後、それぞれ、アンテナ２２４ａないし２２４ｔから送信する。
【００３５】
［0047］  レシーバシステム２５０において、送信した変調信号は、ＮＲアンテナ２５２ａないし２５２ｒによって受信され、そして、各アンテナ２５２から受信された信号は、各レシーバ（ＲＣＶＲ）２５４ａないし２５４ｒに提供される。各受信機２５４は、それぞれの受信信号を調整（例えば、フィルタリング、増幅、およびダウンコンバート）し、サンプルを提供するために調整された信号をデジタル化し、そして、さらに、対応する「受信された」シンボルストリームを提供するためにそれらのサンプルを処理する。
【００３６】
［0048］  ＲＸデータプロセッサ２６０は、そして、Ｎｒの“検出した”シンボルストリームを提供するために、特定の受信機処理技術に基づいてＮＲの受信機２５４からのＮＲの受信シンボルストリームの処理および受信をする。該ＲＸデータプロセッサ２６０は、そして、データストリームに関するトラフィックデータを回復させるために、それぞれの検出したシンボルストリームを復調し、デインターリーブし、およびデコードする。該ＲＸデータプロセッサ２６０による処理は、トランスミッタシステム２１０において、ＴＸ  ＭＩＭＯプロセッサ２２０およびＴＸデータプロセッサ２１４によりなされた処理と相補的である。
【００３７】
［0049］  （メモリ２７２と動作する）プロセッサ２７０は、（後に述べる）使用のためのプリ−コーディング行列を定期的に決定する。該プロセッサ２７０は、行列のインデックス部分とランク値の部分を持つアップリンクメッセージを形成する。
【００３８】
［0050］  該アップリンクメッセージは、受信したデータストリームおよび／または通信リンクに関する情報の様々なタイプを含むことができる。該アップリンクメッセージは、その後、データソース２３６から多数のデータストリームに関するトラフィックデータを受け取りもするＴＸデータプロセッサ２３８により処理され、変調器２８０によって変調され、トランスミッタ２５４ａないし２５４ｒによって調整され、そして、トランスミッタシステム２１０へ送信される。
【００３９】
［0051］  該トランスミッタシステム２１０において、レシーバシステム２５０からの変調された信号は、アンテナ２２４によって受信され、レシーバ２２２によって調整され、復調器２４０によって復調され、そして、レシーバシステム２５０によって送信されたアップリンクメッセージを抽出するために、ＲＸデータプロセッサ２４２によって、処理される。そして、該プロセッサ２３０は、ビームフォーミング重みを決定するために用いるプリ−コーディング・マトリクスを決定し、ついで、抽出されたメッセージを処理する。
【００４０】
［0052］  図３は、ロングタームエボリューション（ＬＴＥ）通信のダウンリンクにおけるフレーム構成の１例を概念的に例示するブロックダイヤグラムである。該ダウンリンクのための送信時系列は、無線フレームのユニットに分割され得る。各無線フレームは所定の持続時間（例えば、１０ミリ秒（ｍｓ））を有しうる、および、０〜９のインデクスを伴って１０サブフレームに分割されうる。それぞれのサブフレームは、２つのスロットを含んでいてもよい。したがって、それぞれの無線フレームは、０ないし１９のインデックスを持つ２０個のスロットを含んでいてもよい。各スロットは、Ｌのシンボル期間、例えば、ノーマルなサイクリックプレフィックスのための７のシンボル期間（図３に示す）、または拡張されたサイクリックプレフィックスのための６個のシンボル期間を含み得る。各サブフレームにおける２Ｌのシンボル期間は、０ないし２Ｌ−１のインデックスを割り当てられうる。利用可能な時間周波数リソースは、リソースブロックに分割され得る。各リソースブロックは、１つのスロットにおけるＮのサブキャリア（例えば、１２サブキャリア）をカバーし得る。
【００４１】
［0053］  ＬＴＥにおいて、ｅＮＢは、ｅＮＢにおける各セルのために、プライマリ同期信号（ＰＳＳ）およびセカンダリ同期信号（ＳＳＳ）を送りうる。該ＰＳＳおよびＳＳＳは、図３に示すように、ノーマルサイクリックプレフィックスを伴う各無線フレームの０ないし５サブフレームのそれぞれにおいて、それぞれ、６ないし５シンボル期間において送られ得る。同期信号は、セルの検出と捕捉のためにＵＥによって使用され得る。該ｅＮＢは、サブフレーム０のスロット１における０から３シンボル期間において物理報知チャネル（ＰＢＣＨ）を送り得る。該ＰＢＣＨは、ある特定のシステム情報を搬送し得る。
【００４２】
［0054］  該ｅＮＢは、該ｅＮＢにおけるそれぞれのセルに関するセル固有参照信号（ＣＲＳ）を送り得る。該ＣＲＳは、ノーマルサイクリックプレフィックスの場合においては各スロットに０、１、および、４シンボルを送りことができ、そして、拡張サイクリックプレフィックスの場合においては各スロットに０、１、および、３シンボルを送りことができる。該ＣＲＳは、物理チャネル、タイミングおよび周波数追跡、ラジオリンクモニタリング（ＲＬＭ）、参照信号受信電力（ＲＳＲＰ）、そして、参照信号受信品質（ＲＳＲＱ）などの整然とした復調をするために、ＵＥによって使用される。
【００４３】
［0055］  該ｅＮＢは、図３からわかるように、各サブフレームの最初のシンボル期間において物理制御フォーマットインジケータチャネル（ＰＣＦＩＣＨ）を送信し得る。該ＰＣＦＩＣＨは、制御チャネルに使用されるシンボル期間の数（Ｍ）を伝達しうる、そこで、Ｍは、１、２、または３に等しくでき、サブフレームからサブフレームへ変更しうる。Ｍはまた、例えば、１０個未満のリソースブロックを有する狭いシステム帯域幅のために、４に等しいこともできる。図３に示す例では、Ｍ＝３である。該ｅＮＢは、各サブフレームの最初のＭ個のシンボル期間において、物理ＨＡＲＱインジケータチャネル（ＰＨＩＣＨ）および物理ダウンリンク制御チャネル（ＰＤＣＣＨ）を送信し得る。該ＰＤＣＣＨおよびＰＨＩＣＨはまた、図３に示す例では、最初の３個のシンボル期間に含まれる。該ＰＨＩＣＨは、ハイブリッドオートクチックリピートリクエスト（ＨＡＲＱ）をサポートする情報を搬送し得る。該ＰＤＣＣＨは、ＵＥのためのリソース割当についての情報と、ダウンリンクチャネルのための制御情報とを搬送しうる。該ｅＮＢは、各サブフレームの残りのシンボル期間において物理ダウンリンク共有チャネル（ＰＤＳＣＨ）を送りうる。該ＰＤＳＣＨは、ダウンリンク上でのデータ送信のためにスケジューリングされたＵＥに対してデータを搬送し得る。ＬＴＥにおける様々な信号およびチャネルは、公表されている「Evolved Universal Terrestrial Radio Access (E-UTRA); Physical Channels and Modulation,」と題される、３ＧＰＰ  ＴＳ  ３６．２１１において説明されている。
【００４４】
［0056］  該ｅＮＢは、該ｅＮＢによって使用されるシステム帯域幅の中心である１．０８ＭＨｚにおいてＰＳＳ、ＳＳＳ、およびＰＢＣＨを送りうる。該ｅＮＢは、該ＰＣＦＩＣＨおよびＰＨＩＣＨが送られる各シンボル期間において、システム帯域幅全体にわたってこれらのチャネルを送りうる。該ｅＮＢは、システム帯域幅の特定のある部分においてＵＥのグループにＰＤＣＣＨを送りうる。該ｅＮＢは、システム帯域幅の特定の部分において特定のＵＥにＰＤＳＣＨを送りうる。該ｅＮＢは、全てのＵＥにブロードキャスト形式で該ＰＳＳ、ＳＳＳ、ＰＢＣＨ、ＰＣＦＩＣＨ、および、ＰＨＩＣＨを送り、特定のＵＥにユニキャスト形式でＰＤＣＣＨを送り、特定のＵＥにユニキャスト形式でＰＤＳＣＨを送りうる。
【００４５】
［0057］  多数のリソースエレメントが各シンボル期間において利用可能であり得る。各リソースエレメントは、１つのシンボル期間において１つのサブキャリアをカバーしうる、また、１つの変調シンボルを送信するために使用されうる、そしてそれは、実数または複素数でありうる。各シンボル期間における基準信号のために使用されないリソース要素は、リソース要素グループ（ＲＥＧ）内に配置されうる。各ＲＥＧは、１つのシンボル期間における４つのリソース要素を含み得る。該ＰＣＦＩＣＨは、４つのＲＥＧを占めており、シンボル期間０において周波数にわたってほぼ均等に間隙を介しうる。該ＰＨＩＣＨは、３つのＲＥＧを占めており、１つまたはより多くの構成可能なシンボル期間において、周波数にわたって拡散されうる。例えば、ＰＨＩＣＨのための３つのＲＥＧはすべて、シンボル期間０に属するまたはシンボル期間０、１および２において拡散されうる。該ＰＤＣＣＨは９、１８、３２、あるいは６４のＲＥＧを占有しうる。これらは、最初のＭ個のシンボル期間において、利用可能なＲＥＧから選択されうる。
【００４６】
［0058］  ＲＥＧのある組み合わせのみが、ＰＤＣＣＨに対して許可されうる。ＵＥは、ＰＨＩＣＨおよびＰＣＦＩＣＨのために使用される特定のＲＥＧを知りうる。該ＵＥは、ＰＤＣＣＨのために、ＲＥＧの異なる組み合わせをサーチすることができる。探索するための組み合わせの数は通常、ＰＤＣＣＨに対して許可される組み合わせの数よりも少ない。該ｅＮＢは、ＵＥが探索するであろう任意の組み合わせにおいてＵＥにＰＤＣＣＨを送りうる。
【００４７】
［0059］  図４は、ロングタームエボリューション（ＬＴＥ）通信のアップリンクにおけるフレーム構成を概念的に例示するブロックダイヤグラムである。アップリンクのために利用可能なリソースブロック（ＲＢ）は、データセクションおよび制御セクションに分割され得る。該制御セクションは、システム帯域幅の両端に形成されることができ、設定可能なサイズを有することができる。制御セクション内のリソースブロックは、制御情報の送信のためにＵＥに割り当てられることができる。該データセクションは、制御セクションに含まれないすべてのリソースブロックを含むことができる。図４における設計は、連続するサブキャリアを含むデータセクションを結果としてもたらし、それは、単一のＵＥにデータセクション内の連続するサブキャリアのすべてが割り当てられることを可能にし得る。
【００４８】
［0060］  ＵＥは、ｅＮＢに制御情報を送信するために、制御セクションにおけるリソースブロックを割り当てられうる。該ＵＥは、ｅノードＢにデータを送信するために、データセクションにおけるリソースブロックを割り当てられうる。該ＵＥは、制御セクションにおいて割り当てられたリソースブロックにおける、物理アップリンク制御チャネル（physical uplink control channel）（ＰＵＣＣＨ）で、制御情報を送信することができる。該ＵＥは、データセクションにおいて割り当てられたリソースブロックにおける、物理アップリンク共有チャネル（physical uplink shared channel）（ＰＵＳＣＨ）で、データと制御情報の両方、または、データのみを送信することができる。アップリンク送信は、図４に示すように、サブフレームの両方のスロットにわたることができ、周波数にわたってホッピングすることができる。
【００４９】
［0061］  ＬＴＥにおけるＰＳＳ、ＳＳＳ、ＣＲＳ、ＰＢＣＨ、ＰＵＣＣＨ、およびＰＵＳＣＨは、「Evolved Universal Terrestrial Radio Access (E-UTRA); Physical Channels and Modulation,」と題される、３ＧＰＰ  ＴＳ  ３６．２１１において説明されており、またこれは公表されているものである。
【００５０】
［0062］  １観点において、マルチ−無線共存解を促進するために、３ＧＰＰ  ＬＴＥ環境もしくは類似のもののようなワイヤレス通信環境の中で、サポートを提供することに関する方法およびシステムかここで説明される。
【００５１】
［0063］  そこにおいてここで説明する様々な観点が機能することができる１例ワイヤレス通信環境５００を示す図５をここで参照する。該ワイヤレス通信環境５００は、マルチプル通信システムと共に通信を可能にすることができるワイヤレス機器５１０を含むことができる。このシステムは、例えば、１つまたはより多くのセルラーシステム５２０および／または５３０、１つまたはより多くのＷＬＡＮシステム５４０および／または５５０、１つまたはより多くのワイヤレスパーソナルエリアネットワーク（ＷＰＡＮ）システム５６０、１つまたはより多くのブロードキャストシステム５７０、１つまたはより多くの衛星位置システム５８０、図５に示されない他のシステム、または、それらに関する任意の組み合わせを含むことができる。以下の説明において、用語“ネットワーク”および “システム”は、しばしば置き換え可能に用いられることを理解すべきである。
【００５２】
［0064］  該セルラーシステム５２０および５３０は、ＣＤＭＡ、ＴＤＭＡ、ＦＤＭＡ、ＯＦＤＭＡ、シングルキャリアＦＤＭＡ（ＳＣ―ＦＤＭＡ）または他の適切なシステムに、それぞれ、成り得る。ＣＤＭＡシステムは、ユニバーサル地上無線アクセス（ＵＴＲＡ）、ｃｄｍａ２０００等のような無線技術を実装してもよい。ＵＴＲＡは、ワイドバンドＣＤＭＡ（ＷＣＤＭＡ）（登録商標）およびＣＤＭＡの他の変形を含む。さらに、ＩＳ−２０００をカバーするＣＤＭＡ２０００（ＣＤＭＡ２０００  １Ｘ）、ＩＳ−９５、ＩＳ−８５６（ＨＲＰＤ）企画も。ＴＤＭＡシステムは、移動通信のためのグローバルシステム（ＧＳＭ）、デジタル先進移動電話システム（Ｄ―ＡＭＰＳ）、その他のような無線技術を実装できる。ＯＦＤＭＡシステムは、エボルブドＵＴＭＡ（Ｅ−ＵＴＬＡ）、ウルトラモバイルブロードバンド（ＵＭＢ）、ＩＥＥＥ８０２．１６（ＷｉＭＡＸ）、ＩＥＥＥ８０２．２０、フラッシュＯＦＤＭ（登録商標）、その他のような無線技術を実装できる。ＵＴＲＡおよびＥ−ＵＴＲＡは、ユニバーサル移動通信システム（ＵＭＴＳ）の部分である。３ＧＰＰロングタームエボリューション（ＬＴＥ）およびＬＴＥアドバンスト（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称される団体からの文書内に説明されている。ＣＤＭＡ2000およびＵＭＢは、「第３世代パートナーシッププロジェクト２」（３ＧＰＰ２）と称される団体からの文書内に説明されている。１観点において、セルラーシステム５２０は、それらのカバー範囲においてワイヤレス機器に関して双方向通信をサポートできる多くの基地局５２２を含むことができる。同様に、セルラーシステム５３０は、それらのカバー範囲においてワイヤレス機器に関して双方向通信をサポートできる多くの基地局５３２を含むことができる。
【００５３】
［0065］  ＷＬＡＮシステム５４０および５５０は、ＩＥＥＥ８０２．１１（ＷｉＦｉ）、ハイパーラン（Hiperlan）、その他の無線技術をそれぞれ実装できる。ＷＬＡＮシステム５４０は、双方向通信をサポートできる１つまたはより多くのアクセスポイント５４２を含むことができる。同様に、ＷＬＡＮシステム５５０は、双方向通信をサポートできる１つまたはより多くのアクセスポイント５５２を含むことができる。該ＷＰＡＮシステム５６０は、ブルートゥース（ＢＴ）、ＩＥＥＥ８０２．１５、その他の無線技術を実装できる。さらに、ＷＰＡＮシステム５６０は、ワイヤレス機器５１０、ヘッドセット５６２、コンピュータ５６４、マウス５６６、または、類するもののような様々な機器に関する双方向通信をサポートできる。
【００５４】
［0066］  該ブロードキャストシステム５７０は、テレビジョン（ＴＶ）ブロードキャストシステム、周波数変調（ＦＭ）ブロードキャストシステム、デジタルブロードキャストシステム、その他であり得る。デジタルブロードキャストは、メディアフロー（登録商標）、ハンドヘルドのためのデジタルビデオ放送（ＤＶＢ−Ｈ）、地上テレビ放送のためのデジタル総合サービス放送（ＩＳＤＢ−Ｔ）または同様のもののような無線技術を実装できる。さらに、ブロードキャストシステム５７０は、一方向通信をサポートできる１つまたはより多くの放送局５７２を含むことができる。
【００５５】
［0067］  該衛星位置システム５８０は、米国全地球位置システム（ＧＰＳ）、ヨーロッパガリレオシステム、ロシアグロナスシステム、日本における準天頂衛星システム（ＱＺＳＳ）、インドにおけるインド地域航法衛星システム（ＩＲＮＳＳ）、中国におけるバイドウシステム、および／または、何かほかの適切なシステムであり得る。さらに、衛星位置システム５８０は、位置決定のための信号を送信する多くの衛星５８２を含むことができる。
【００５６】
［0068］  １観点において、該ワイヤレス機器５１０は、固定または移動可能であり得、そして、ユーザ装置（ＵＥ）、移動局、移動装置、端末、アクセス端末、加入者設備、局、その他と呼ばれることもできる。ワイヤレス機器５１０は、セルラホン、携帯情報端末（ＰＤＡ）、ワイヤレスモデム、手持ち機器、ラップトップコンピュータ、コードレスホン、ワイヤレスローカルループ（ＷＬＬ）局、その他であり得る。加えて、ワイヤレス機器５１０は、セルラーシステム５２０および／または５３０、ＷＬＡＮシステム５４０および／または５５０、ＷＰＡＮシステム５６０の機器、および／または何かほかの適切なシステムおよび／または機器に関して、両方向通信をすることができる。該ワイヤレス機器５１０は、ブロードキャストシステム５７０および／または衛星位置システム５８０からの信号を付加的にまたは交代的に受信することができる。一般に、ワイヤレス機器５１０は、任意のタイミングで任意のシステムと通信することができることを理解することができる。ワイヤレス機器５１０は、同じ時に動作するその構成する無線機器の様々な１つ１つとの間で、共存問題を受け得る。それに応じて、機器５１０は、後にさらに説明するように、共存の問題を感知し、減少させる機能モジュールを有する共存管理（ＣｘＭ、示されない）を含む。
【００５７】
［0069］  次に図６に移って、ブロックダイヤグラムは、マルチ−無線ワイヤレス機器６００に関する１例を示すよう提供され、図５の無線５１０の実装として用いられ得るものである。図６に示すように、ワイヤレス機器６００は、Ｎ無線６２０ａないし６２０ｎを含み得、そしてそれは、Ｎアンテナ６１０ａないし６１０ｎに接続することができ、そこで、Ｎは任意の値をとることができる。しかしながら、無線６２０はそれぞれ任意の数のアンテナ６１０と接続でき、そして、マルチプル無線６２０は所与のアンテナ６１０を共有することもできることを理解すべきである。
【００５８】
［0070］  一般に、無線６２０は、電磁スペクトルとしてエネルギーを放射または放出し、電磁スペクトルとしてエネルギーを受け、または、伝導手段を通して広がるエネルギーを生み出すユニットであることができる。例として、無線６２０は、システムまたは機器から信号を受信するユニットまたは機器またはシステムへ信号を送信するユニットであることができる。したがって、無線６２０はワイヤレス通信をサポートすることに用いることができることを理解することができる。別の例として、無線６２０は、他の無線の性能に影響を与えることができるノイズを発するユニット（例えば、コンピュータのスクリーン、回路板基板など）でもあることができる。したがって、無線６２０はワイヤレス通信をサポートしない干渉およびノイズを発するユニットであることもできることを理解することができる。
【００５９】
［0071］  １観点において、無線６２０はそれぞれ１つまたはより多くのシステムとの通信をサポートすることができる。マルチプル無線６２０は、例えば、異なる周波数帯（例えば、セルラおよびＰＣＳバンド）における受信または送信のため、所与のシステムに関して、付加的にまたは交代的に用いられることができる。
【００６０】
［0072］  他の観点において、デジタルプロセッサ６３０は、無線６２０ａないし６２０ｎに接続されることができ、そして、無線６２０を介して受信され、または、送信されるデータを処理するような、様々な機能を遂行する。それぞれの無線６２０に関する該処理は、無線によってサポートされる無線技術に依存することができ、そして、トランスミッタに関して、暗号化、符号化、変調など、レシーバに関して復調、複号、暗号解読など、または、類するものを含むことができる。１つの例として、デジタルプロセッサ６３０は、ここでおよそ説明するように、ワイヤレス機器６００の能力を高めるために、無線６２０の動作を制御することができる共存管理（ＣｘＭ）６４０を含むことができる。該共存管理６４０は、無線６２０の動作を制御するために用いられる情報を格納することができるデータベース６４４に接続していることができる。以下に、さらに、説明するように、共存管理６４０は、無線間の干渉を少なくするための様々な技術に適応することができる。１つの例として、共存管理６４０は、ＬＴＥが動作していない期間を通して通信するためのＩＳＭ無線を許可するＤＲＸサイクルまたはメジャーメント間隔パターンを求める。
【００６１】
［0073］  簡単に、デジタルプロセッサ６３０は、シングルプロセッサとして図６に示される。しかしながら、デジタルプロセッサ６３０は任意の数のプロセッサ、コントローラ、メモリなどを含むことができることを理解すべきである。１つの例において、コントローラ／プロセッサ６５０は、ワイヤレス機器６００における様々なユニットの動作を管理することができる。付加的にまたは交代的に、メモリ６５２は、ワイヤレス機器６００に関するデータおよびプログラムコードを格納することができる。該デジタルプロセッサ６３０、コントローラ／プロセッサ６５０、および、メモリ６５２は、１つまたはより多くの集積回路、特定用途向け集積回路（ＡＳＩＣｓ）など実装できる。特に、限定されない例として、デジタルプロセッサ６３０は、モバイルステーションモデム（ＭＳＭ）ＡＳＩＣを含むことができる。
【００６２】
［0074］  ユーザ装置（ＵＥ）のようなマルチ−無線機器は、同じ時に動作するその構成する無線機器の様々な１つ１つとの間で、共存問題を受け得る。特に、マルチ−無線ＵＥは、ＵＥのＷＬＡＮ無線機器と（例えば、ＬＴＥ）ブロードバンド無線との間の共存の問題のため、送信パワーレベルを減らすよう動作することができる。規格８０２．１１がアクノウリッジメント（ＡＣＫ）パケットのＰＨＹ（物理レイヤ）レートはリモート機器によって用いられる送信レートに依存すると規定することから、マルチ−無線ＵＥはそのデータパケットより高いレートでＡＣＫパケットを送る。しかしながら、ＡＣＫパケットが送信されることにおいて、減少された送信パワーレベルは増加したＰＨＹレートをサポートできないから、該ＡＣＫパケットは、リモート機器によって受信されないことがあり得る。該リモート機器は、ＡＣＫパケットが受信されないときそのＰＨＹレートを減少させることができ、低いパワーレベルの通信に関して、マルチ−無線ＵＥによって用いられるレートに、リモートノードにおけるデータレートの下方スパイラルを招く。
【００６３】
［0075］  この開示の１つの観点において、ＷＬＡＮ  ＡＣＫパケットは、第１のパワーレベルで送信され、そして、ＷＬＡＮ  データパケットは、ＷＬＡＮ  ＡＣＫパケットの送信レベルより低い第２のパワーレベルで送信される。この開示のこの観点において、マルチ−無線ワイヤレス局のＷＬＡＮ無線機器とブロードバンド無線モデムとの間の共存の問題により、減少した送信パワーレベルでワイヤレス局が動作するとき、増加されたＡＣＫパケットの送信パワーレベルは用いられる。
【００６４】
［0076］  １つの側面において、共存管理６４０は、無線６２０それぞれの間の衝突に関連付けられた他の性能低下および／または干渉を回避するために、ワイヤレス機器６００によって用いられる無線６２０それぞれの動作を管理することができる。共存管理６４０は、図１１および１３に説明するように、１つまたはより多くのプロセスを実行しうる。さらなる説明として、図７のグラフ７００は、所定の期間における７例の無線の間の位置の個々の衝突を示す。グラフ７００が示す例において、７の無線は、ＷＬＡＮトランスミッタ（Ｔｗ）、ＬＴＥトランスミッタ（Ｔｌ）、ＦＭトランスミッタ（Ｔｆ）、ＧＳＭ／ＷＣＤＭＡトランスミッタ（Ｔｃ／Ｔｗ）、ＬＴＥレシーバ（Ｒｌ）、ブルートゥースレシーバ（Ｒｂ）、そして、ＧＰＳレシーバ（Ｒｇ）を含む。該４のトランスミッタは、グラフ７００の左側の４のノードによって示される。該４のレシーバは、グラフ７００の右側の３のノードによって示される。
【００６５】
［0077］  トランスミッタとレシーバの位置の衝突は、トランスミッタに関するノードおよびレシーバに関するノードを結ぶ枝によって、グラフ７００の上でそれぞれ示される。したがって、グラフ７００において示す例において、衝突は、（１）ＷＬＡＮトランスミッタ（Ｔｗ）とブルートゥースレシーバ（Ｒｂ）、（２）ＬＴＥトランスミッタ（Ｔｌ）とブルートゥースレシーバ（Ｒｂ）、（３）ＷＬＡＮトランスミッタ（Ｔｗ）とＬＴＥレシーバ（Ｒｌ）、（４）ＦＭトランスミッタ（Ｔｆ）とＧＰＳレシーバ（Ｒｇ）、（５）ＷＬＡＮトランスミッタ（Ｔｗ）、ＧＳＭ／ＷＣＤＭＡトランスミッタ（Ｔｃ／Ｔｗ）とＧＰＳレシーバ（Ｒｇ）との間に存在し得る。
【００６６】
［0078］  １つの観点において、１例の共存管理６４０は、図８におけるダイヤグラム８００によって示されるようなやり方とタイミングで動作することができる。ダイヤグラム８００が示すように、共存管理の動作に関するタイムラインは、決定したユニット（ＤＵｓ）に分けられる。それは、そこで通知が処理される所定の適切な一定のまたは一定でない長さ（例えば、１００μｓ）で、および、そこで命令が様々な無線６２０に提供されるレスポンス段階（例えば、２０μｓ）で、および／または、評価（evaluation）段階においてとられた動作に基づいて実行される他の動作で、あることができる。１つの例において、ダイヤグラム８００において示すタイムラインは、例えば、所与のＤＵにおいて通知の位相の次の期間すぐに所与の無線から通知を受け取った場合における応答タイミングなど、タイムラインでの動作の最悪の場合によって決められる待ち時間パラメータを有することができる。
【００６７】
［0079］  図９に示すように、（周波数分割デュプレックス（ＦＤＤ）アップリンクに関する）バンド７、（時分割デュプレックス（ＴＤＤ）通信に関する）バンド４０、および、（ＴＤＤダウンリンクに関する）バンド３８におけるロングタームエボリューション（ＬＴＥ）は、ワイヤレスローカルエリアネットワーク（ＷＬＡＮ）およびブルートゥース（ＢＴ）によって用いられる２．４ＧＨｚ産業科学および医療（ＩＳＭ）バンドに隣接している。これらのバンドの周波数プランは、隣接する周波数における干渉を避けるための従来のフィルタリング解を許容するガードバンドがない、または、限定されているものである。例えば、２０ＭｚガードバンドがＩＳＭおよびバンド７の間に存在し、しかし、ＩＳＭおよびバンド４０の間にガードバンドはない。
【００６８】
［0080］  適切な規格に準拠するために、特定のバンドで動作する通信機器は、完全に規定された周波数レンジで動作可能にされる。例えば、ＬＴＥに準拠するために、移動局／ユーザ装置は、（３ＧＰＰ）によって定義されたようなバンド７（２５００−２５７０ＭＨｚ）およびバンド４０（２３００−２４００ＭＨｚ）両方の全部を通して通信可能でなければならない。十分なカードバンド無しで、機器は、帯域干渉を起こす他のバンドへのオーバーラップを濾すフィルタを用いる。バンド４０フィルタはバンド全体をカバーするために１００ＭＨｚ幅であるから、それらのフィルタからのロールオーバーは干渉を起こすＩＳＭバンドへ入り込むことになる。同様に、ＩＳＭバンド（例えば、２４０１からおよそ２４８０ＭＨｚまで）の全体を用いるＩＳＭ機器は、隣のバンド４０およびバンド７の中にロールオーバーする（rollover into）フィルタを用い、そして、干渉を引き起こし得る。
【００６９】
［0081］  例えば、ＬＴＥおよびＩＳＭバンド（例えば、ブルートゥース／ＷＬＡＮ）のようなリソースの間で、ＵＥに関して機器内（In-device）共存問題が存在し得る。現在のＬＴＥ実装において、ＬＴＥへのいかなる干渉問題も、ＵＥによって報告されるダウンリンクメジャーメント（例えば、参照信号受信品質（ＲＳＲＱ）等）に、および／または、例えばＬＴＥを共存問題の無いＲＡＴまたは周波数に移動させるなどの周波数間またはＲＡＴ間の受け渡し決定をするためにｅＮＢが使うことができるダウンリンクのエラーレートに、反映される。しかしながら、もし、例えば、ＬＴＥアップリンクがブルートゥース／ＷＬＡＮに干渉を引き起こし、しかし、ＬＴＥダウンリンクがブルートゥース／ＷＬＡＮからのいかなる干渉も認識しない場合、そのような既存の技術は、働かない。さらに特別に、もし、ＵＥがアップリンクの別のチャネルにそれ自身自発的に移動するとしてさえも、ｅＮＢは、場合によっては、付加バランスの目的で問題のあるチャネルへＵＥを戻してしまうことができる。任意の場合において、既存の技術は、効率よく問題のあるチャネルのバンド幅の利用を促進できない。
【００７０】
リモートデータレートにおけるパワー不均衡の影響の軽減
［0082］  ユーザ装置（ＵＥ）のようなマルチ−無線機器は、同じ時に動作するその構成する無線機器の間で、共存問題を受け得る。例えば、マルチ−ＵＥにおけるロングタームエボリューション（ＬＴＥ）無線からの送信は、ワイヤレス  ローカル  エリア  ネットワーク（ＷＬＡＮ）、または、同様のもののような、８０２．１１機器に関するＵＥレシーバと干渉し得る。この開示の１つの観点において、ワイヤレスローカルエリアネットワーク（ＷＬＡＮ）アクノウリッジメント（ＡＣＫ）パケットは、第１のパワーレベルで送信され、そして、ＷＬＡＮデータパケットは、ＷＬＡＮ  ＡＣＫパケット送信パワーレベルより低い第２のパワーレベルで送信される。この開示のこの観点において、増加されたＡＣＫパケット送信パワーレベルは、ワイヤレスモデムとマルチ−無線ワイヤレス局のＷＬＡＮ無線機器との間で共存の問題のために減少させた送信レベルでワイヤレス局が動作するときに用いられる。この開示のさらなる観点において、ＷＬＡＮ  ＡＣＫパケット送信レートは、ＷＬＡＮデータパケットが受信されるレートから独立して選択される。
【００７１】
［0083］  ８０２．１１ワイヤレスネットワーク（Ｗｉ−Ｆｉ）は、搬送波感知多重アクセス（ＣＳＭＡ）手法に従って動作し、そこにおいて、ノードは、電磁スペクトラムの周波数バンドのような共有する媒体での送信の前に、他のトラフィックの不足を確認する。アクセスポイント（ＡＰ）およびワイヤレス局（ＳＴＡ）が通信するとき、データパケットの受信ノードはデータパケットが成功裏に受信された後にアクノウリッジメント（ＡＣＫ）パケットを送信する。該８０２．１１規格は、アクノウリッジメント（ＡＣＫ）パケットＰＨＹ（物理レイヤ）レートの選択に関する詳細ルールを定義する。具体的には、規格は、テーブル１に示される例に関して、受信（ＲＸ）データパケットにおいて用いられたデータレートおよびＡＣＫパケットに関して選択された送信（ＴＸ）レートから、１対１マッピングを定義する。
【表１】
2015181263.tif 000003
【００７２】
［0084］  すなわち、ＡＣＫパケット送信レートは、例えば、８０２．１１において、ノードがＢＳＳ（ベーシックサービスセット）に接続することに関して規定されたＢＳＳベーシックレートセットから選択される。該８０２．１１規格は、テーブル１に示すように、同じ変調に使用され、および、前に受信したパケットにおいて用いられたレートより高くない、ＢＳＳベーシックレートセットの中の最も高いレートとしてＡＣＫパケットソウシンレートが選択されることを規定する。
【００７３】
［0085］  図５を再び参照して、ワイヤレス局（ＳＴＡ）５１０およびアクセスポイント（ＡＰ）５４２／５５２は、異なる送信パワーレベルで動作することができる。例えば、該ワイヤレスＳＴＡ（例えば、マルチ−無線ＵＥ）５１０は、マルチ−無線ＵＥ５１０上で他の無線と共存可能な低いパワーレベルで送信することができる。該マルチ−無線ＵＥ５１０は、例えば、ホワイトスペースにおける固定および携帯ノードに関するＦＣＣ（連邦通信委員会）によって定義された、放射規制規則（regulatory emission rules）により、低いパワーレベルで送信し得る。同様に、該マルチ−無線ＵＥ５１０の他の無線（例えば、ブロードバンド無線モデム）と共に用いられる８０２．１１無線は、ＳＡＲ（比吸収率）の要求に適合するための低いパワーレベルで送信し得る。他の例として、アクセスポイント５４２／５５２およびマルチ−無線ＵＥ５１０は、８０２．１１ａｈで定義されるように、異なるパワークラスに従って動作し得る。
【００７４】
［0086］  異なる送信パワーレベルでのアクセスポイント５４２／５５２およびマルチ−無線ＵＥ５１０の動作は、マルチ−無線ＵＥ５１０とアクセスポイント５４２／５５２との間でパワー不均衡をもたらす。結果として、低い送信パワーのノードは、それのデータパケットに関して低いＰＨＹ（物理レイヤ）レートを用いる。より高い送信パワーレベルのリモートノードは、より高いデータレートで送信する。ＡＣＫパケットＰＨＹレートはリモート機器によって用いられる送信レートによって決まることを８０２．１１規格が規定することにより、低いパワーレベルでのローカルノードの送信は、データパケットより高いレートでＡＣＫパケットを送り得る。このことは、低減された送信パワーレベルはそれらが送信されるときの増加したＰＨＹレートをサポートできないから、ＡＣＫパケットに関して、増加したパケットエラーレートをもたらす。それに応じ、データパケットが正しく受信できないとリモート機器が仮定することによってそのＰＨＹレートを低減することによるＡＣＫパケットが受信されないことに、リモート機器が対応する。低いパワーレベルでの送信に関してローカル機器によって用いられるレートにレートを近づけるために、リモートノードにおいてデータレートのスパイラルがもたらされる。
【００７５】
［0087］  ローカル機器の低い送信パワーによってリモート機器のＰＨＹレートが不必要に影響を受けることで、送信データレートのスパイラルは望まれない挙動である。共存問題（すなわち、規制規則に準拠しないなど）によって送信パワーが低下するとき、この開示の１つの観点において、共存問題とともに、機器は、増加したＰＨＹレートでＡＣＫパケットが正しくデコードされることが見込まれるほど増加した高いパワーレベルでＡＣＫパケットを送信する。ＡＣＫパケットのパワーレベルを決定することに関して様々な方法が開示される。
【００７６】
［0088］  この開示の１つの観点において，８０２．１１ワイヤレスネットワークのような、ＷＬＡＮにおけるリモートデータレートにおけるパワー不均衡の影響の軽減に関する解が説明される。特に、ＡＣＫパケットのパワーレベルは、現在のＡＣＫＰＨＹレートでＵＥとアクセスポイントの間のパス−ロスのファンクションとして選択されることができる。加えて、ＡＣＫパケットのパワーレベルは、ＡＣＫパケットが正しく受信されることを保証することに関して、レシーバ感度のファンクションとして選択されることができる。規制またはパワークラスの制限によりパワー不均衡を有することができるＷＬＡＮ規格の例は、電子および電気技術学会（ＩＥＥＥ）８０２．１１ａｆ（ホワイトスペースにおけるＷｉＦｉ）規格およびＩＥＥＥ８０２．１１ａｈ規格を含む。
【００７７】
［0089］  この開示の１つの観点において、ＡＣＫパケットのパワーレベルは、ＷＬＡＮスループットロスにおいて、ＡＣＫ送信パワーレベルの低下の影響の減少と、ＡＣＫパケット送信から他の一緒に用いられる無線に対する干渉のバランスのために適応される。例えば、ＡＣＫパケットのパワーレベルは、ＡＣＫパケットデコード感度、および、ＷＬＡＮパス−ロス、影響を受ける（victim）一緒に用いられる無線（例えば、ＬＴＥブロードバンド無線モデム）の受信信号強度のファンクションとして適用される。代わりに、ＡＣＫパケットのパワーレベルは、ＷＬＡＮ  ＡＣＫパケットからマルチ−無線ＵＥ５０１の影響を受けるブロードバンド無線モデムに対する干渉のレベルに従って選択され得る。
【００７８】
［0090］  例えば、マルチ−無線ＵＥのＷＬＡＮ無線とＬＴＥ送信との間で共存ができるようにするためにパワーバック−オフ（a power back-off）が用いられるとき、パワー不均衡は存在し得る。この開示の１つの観点において、パワーバック−オフ方法は、最小ＷＬＡＮ送信パワーレベルＰｍｉｎ１（例えば、ＷＬＡＮ送信パワーレベルはＰｍｉｎ１を下回ることができない）の下でデータパケットに関して最大送信パワーレベルを適合させる。さらなる観点において、ＡＣＫ送信パワーレベルは、より高い最小パワーレベルＰｍｉｎ２（Ｐｍｉｎ２＞＝Ｐｍｉｎ１）の下で、あるパワーバック−オフ方法と共に調整される。Ｐｍｉｎ１とＰｍｉｎ２の双方は、例えば、影響を受ける無線に対して許容できる干渉を提供するためのＲＦ（無線周波数）構成に基づき、静的に選択され得る。代えて、Ｐｍｉｎ１とＰｍｉｎ２の双方は、例えば、影響を受ける無線リンクの質のファンクションとして準静的手法において動的に選択され得る。その上、Ｐｍｉｎ１とＰｍｉｎ２の間の違いは、ＡＣＫパケットおよびデータの適切なデコードに関する異なるレシーバの感度要求およびＷＬＡＮリンク品質に基づいて選択され得る。
【００７９】
［0091］  ここに説明するように、最大送信パワーレベル（または、パワーバック−オフ値）は、ＷＬＡＮの最大送信パワーを決定し、そして、（Ｐｍｉｎ２およびＰｍｉｎ１としていくつかの項で表される）最小送信パワーレベルは、ＷＬＡＮ送信パワーに適合された最大バック−オフ（maximum back-off）の下限である。この開示の１つの観点において、最小送信パワーレベルは、ＲＦ較正、ＬＴＥ／ＷＬＡＮパス−ロス、または、そのようなものの下で準静的である一方で、最大送信パワーレベルは、例えば、（信号対干渉プラスノイズ比（ＳＩＮＲ）のような）ＬＴＥ信号品質メジャーメントおよびＷＬＡＮ物理レイヤ（ＰＨＹ）レートに基づいて動的にアップデートされる。
【００８０】
［0092］  この開示の１つの観点に従うパワーバック−オフ法（a power back-off method）の１例は、次のようである。共存管理（ＣｘＭ）６４０（図６）は、Ｘｍｓ毎のＬＴＥダウンリンク部分の間、所定の時間間隔（例えば、１ｍｓ）に関してＷＬＡＮ送信を妨げる。ＷＬＡＮ送信がないときのＬＴＥダウンリンクサブフレームに対応するＳＩＮＲは、ＳＩＮＲｇｏｏｄとして特定され、そして、等式（１）に従う次のフィルタを通される。そこでαｇｏｏｄはフィルタの係数である。
【数１】
2015181263.tif 000004
【００８１】
［0093］  この構成において、ＷＬＡＮ送信がオフ（ＷＬＡＮ  ＴＸ  ＯＦＦ）で有るという明確な知見がない他のＬＴＥサブフレームに対応するＳＩＮＲは、ＳＩＮＲｂａｄとして特定され、等式（２）に従うＷＬＡＮ  ＯＮに伴う平均ＳＩＮＲを計算する次のフィルタに送られる。そこでαｂａｄはフィルタの係数である。
【数２】
2015181263.tif 000005
【００８２】
［0094］  この構成において、ＷＬＡＮ  ＴＸパワーリミットアップデートサイクルのインデックスをｎで示す。アップデートサイクルはＹｍｓ毎に選択される。加えて、（ＹｍｓであるＷＬＡＮ  ＴＸパワーリミットアップデートサイクル間の平均である）平均ＷＬＡＮ  ＰＨＹレートは、Ｒ（ｎ）で示すＷＬＡＮレート適合アルゴリズムによって制御される。データパケットに関するＷＬＡＮ  ＴＸパワーバック−オフ計算は、等式（３）および（４）に従って次のとおり説明する。そこでμ１およびμ２はスケーリング係数であり、ｓは影響を与える（aggressor）および影響を受ける量の重みであり、εは影響を受ける量における許容できるＳＩＮＲの落ち込みであり、そして、γはレート量におけるエラーレートでの重み係数ｓの依存を定義する。
【数３】
2015181263.tif 000006
【数４】
2015181263.tif 000007
【００８３】
［0095］  等式（４）で示すように、ＲｍｉｎはＬＴＥダウンリンクサブフレームの中にＷＬＡＮ  ＴＸパケットを確実に適合させることができる最小レートであり、Ｐｍｉｎ１はデータパケットに関して最小バック−オフに対応するＷＬＡＮ  ＴＸパワーであり、そして、Ｐｍａｘは最大ＷＬＡＮパワーである。これをＡＣＫパケットに適応するとき、ＡＣＫパケットに関するＷＬＡＮ  ＴＸパワーレベルは等式（５）によって与えられる。
【数５】
2015181263.tif 000008
【００８４】
［0096］  １つの構成において、パワーバック−オフレベルは格納され、そして、送信パワーは従属的に決定される。他の構成において、最大送信パワーレベルは格納され、そして、送信パワーは従属的に決定される。該最大送信パワーレベルは影響を受けるおよび影響を与える量の結合に基づき決定されることができ、データ物理レイヤ（ＰＨＹ）レートのような影響を与える量、および、スペクトル効率またはＬＴＥ  ＳＩＮＲを制限しない。ＡＣＫ（Ｐｍｉｎ１およびＰｍｉｎ２）またはデート（date）に関する最小送信パワーレベルは、ＲＦ較正よって静的に決定され、または、ＷＬＡＮパス−ロス、ＡＣＫレート、ＡＣＫパケット感度、または類するもの、および、ＬＴＥリンク品質（例えば、参照信号受信電力（ＲＳＲＰ）、参照信号受信品質（ＲＳＲＱ）、ＳＩＮＲ等）に基づいて動的に決定される。
【００８５】
［0097］  この開示の１つの観点において、ＷＬＡＮ  ＡＣＫパケットは第１のパワーレベルで送信され、そして、ＷＬＡＮデータパケットは、ＷＬＡＮ  ＡＣＫパケット送信パワーレベルより低い第２のパワーレベルで送信される。この構成において、ＷＬＡＮ  ＡＣＫパケット送信パワーレベルに関するＡＣＫ最大送信パワーレベルは、格納される。加えて、ＷＬＡＮデータパケット送信パワーレベルに関するデータ最大送信パワーレベルは独立して格納される。例えば、ＷＬＡＮ  ＡＣＫパケット最大送信パワーレベルは１０ｄＢｍであり得、および、ＷＬＡＮデーパケット最大送信パワーレベルは、静的構成に従って、８ｄＢｍであることができる。この構成において、ＷＬＡＮ無線ハードウェア／ソフトウェアは、ＡＣＫ最大送信パワーレベルを格納するための第１のテーブル、および、データ最大送信パワーレベルを格納するための第２のテーブルを用いる。動的構成において、ＷＬＡＮ  ＡＣＫパケットは、格納されたＡＣＫ最大パワーレベルに基づくパワーレベルで送信される。加えて、ＷＬＡＮデータパケットは、格納されたデータ最大パワーレベルに基づくパワーレベルで送信される。
【００８６】
［0098］  別の構成において、２つのパワーバック−オフループが走り得る。１つのループはＡＣＫ送信パワーに関し、および、他のループはデータ送信パワーに関する。該ＡＣＫパワーループはＡＣＫパケットに関する干渉を監視するために制限され得る。
【００８７】
［0099］  この開示のさらなる観点において、パワー不均衡が規制規則によるとき、ＡＣＫパケットは、収束したレートループでのローカル機器ＰＨＹレート、および、リモート機器データレート双方の関数であるＢＳＳベーシックレートセットにおける低いレートで送信されることができる。この構成において、リモート機器が十分な媒体時間を確保し、低いデータレートでのＡＣＫパケットの受信を許すことに関して、リモート機器はＡＣＫパケットがＢＳＳベーシックデータレートセットにおける最低レートで送られることを仮定することができる。この開示のこの観点において、ＷＬＡＮ  ＡＣＫパケット送信レートは、ＷＬＡＮデータパケットが受信されるレートから独立して選択される。この構成において、ＷＬＡＮ  ＡＣＫパケットは、受信されたＷＬＡＮデータパケットのレートから切り離された選択されたＡＣＫパケット送信レートで送信される。
【００８８】
［0100］  ここで図１０をみて、ＷＬＡＮにおけるリモートデータレートにおけるパワー不均衡の影響の軽減に関するシステム１０００のブロックダイヤグラムが示されている。１観点において、システム１０００は、システム１０００において任意の他のエンティティ、および／または、お互いに、任意の他の適切な通信、および／または、アップリンク、ダウンリンクにおいて携わることができる１つまたはより多くのＵＥ１０１０、および／またはｅノードＢ１０２０を含むことができる。１つの例として、ＵＥ１０１０、および／または、ｅノードＢ１０２０は、その他の無線資源（例えば、ＬＴＥモデムのようなブロードバンドモデム）と衝突し得ることができるいくつかの、サブバンド、および、周波数チャネルを含む、様々な資源を用いる通信のための動作をすることができる。そして、ＵＥ１０１０は、ここにおよそ説明するように、ＵＥ１０１０によって用いられるマルチプル無線の間での共存を管理することに関して、様々な技術を用いることができる。
【００８９】
［0101］  示された欠点を少なくとも軽減するために、ＵＥ１０１０は、ＵＥ１０１０におけるマルチ−無線の共存に関するサポートを助けるために、システム１０００によって説明され、および、ここで説明された特徴の１つまたはより多くを包含する。特に、チャネル監視モジュール１０１２、パワーバック−オフモジュール１０１４、および、ＡＣＫパケット送信レート選択モジュール１０１６が説明されている。チャネル監視モジュール１０１２は、共存問題の可能性に関して通信チャネルの動作を監視する。例えば、チャネル監視モジュールは、マルチ−無線ＵＥ（ＳＴＡ）１０１０のＷＬＡＮ無線の動作中に、ＬＴＥブロードバンド無線モデムのリンクの品質を監視することができる。
【００９０】
［0102］  開示の１つの観点において、パワーバック−オフモジュール１０１４は、例えば、ＬＴＥブロードバンド無線モデムとの干渉を低減するために、ＷＬＡＮ無線の送信パワーを下げることができる。該ＡＣＫパケット送信レート選択モジュール１０１６は、上記詳述したとおり、ＷＬＡＮデータパケット送信パワーレベルより大きいＷＬＡＮ  ＡＣＫパケット送信パワーレベルを選択することができる。いくつかの例として、様々なモジュール１０１２−１０１６が、図６の共存管理６４０のような共存管理の部分として実装される。様々なモジュール１０１２−１０１６およびその他は、ここで説明した観点を遂行するために構成されることができる。
【００９１】
［0103］  図１１は、この開示の１つの観点に従う８０２．１１ワイヤレスネットワークにおけるリモートデータレートにおけるパワー不均衡の影響の軽減に関する方法１１００を示すフローダイヤグラムである。図１１に示すように、ワイヤレスローカルエリアネットワーク（ＷＬＡＮ）アクノウリッジメント（ＡＣＫ）パケットは、ブロック１１０２で示すように、第１のパワーレベルでリモート機器へ送信される。さらに、図１１に示すように、ＷＬＡＮデータパケットは、ブロック１１０４で示すように、ＷＬＡＮ  ＡＣＫパケット送信パワーレベルより低い第２のパワーレベルでリモート機器へ送信される。この構成において、ＷＬＡＮ  ＡＣＫパケット送信パワーレベルに関するＡＣＫパワーバック−オフレベルは格納される。加えて、ＷＬＡＮデータパケット送信パワーレベルに関するデータパワーバック−オフレベルは、別々に格納される。この構成において、ＷＬＡＮ
ＡＣＫパケットは、格納されたＡＣＫパワーバック−オフレベルに基づくパワーレベルで送信される。加えて、ＷＬＡＮデータパケットは、格納されたデータパワーバック−オフレベルに基づくパワーレベルで送信される。
【００９２】
［0104］  図１２は、パワー不均衡軽減システム１２１４を用いる装置１２００に関するハードウェア実装の例を示すダイヤグラムである。該パワー不均衡軽減システム１２１４は、バス１２２４によっておよそ示されるバスアーキテクチャで実装され得る。該バス１２２４は、所望の数の相互バス、および、パワー不均衡軽減システム１２１４の適切なアプリケーションによるブリッジ、および、一般的な設計制約を含むことができる。該バス１２２４は、プロセッサ１２２６、第１の送信モジュール１２０２、第２の送信モジュール１２０４、および、コンピュータ可読媒体１２２８によって示される、１つまたはより多くのプロセッサ、および／または、ハードウェアモジュールを含む様々な回路どうしをリンクする。該バス１２２４はまた、タイミング・ソース、周辺機器、電圧レギュレータ、および、電力管理回路のようなさまざまな他の回路をリンクさせることもでき、これらは、当該技術でよく知られており、従って、これ以上説明しない。
【００９３】
［0105］  該装置は、トランシーバ１２２２に結合されたパワー不均衡軽減システム１２１４を含む。該トランシーバ１２２２は、１つまたはより多くのアンテナ１２２０に結合される。該トランシーバ１２２２は、伝送媒体を介してさまざまな他の装置と通信するための手段を提供する。該パワー不均衡軽減システム１２１４は、コンピュータ可読媒体１２２８に結合されたプロセッサ１２２６を含む。該プロセッサ１２２６は、コンピュータ可読媒体１２２８に格納されたソフトウェアの実行を含む、一般的な処理を担う。プロセッサ１２２６によって実行されるとき、該ソフトウェアは、パワー不均衡軽減システム１２１４が任意の特定の装置に関して上記説明した様々な機能を実行するようにする。該コンピュータ可読媒体１２２８は、また、ソフトウェアを実行する際にプロセッサ１２２６によって操作されるデータを格納するために使用されることもできる。
【００９４】
［0106］  該パワー不均衡軽減システム１２１４は、さらに、リモート機器に第１の送信パワーレベルでワイヤレスローカルエリアネットワーク（ＷＬＡＮ）アクノウリッジ（ＡＣＫ）パケットを送信するための第１の送信モジュール１２０２、および、ＷＬＡＮ  ＡＣＫパケットの第１の送信パワーレベルより低い第２の送信パワーレベルでＷＬＡＮデータパケットをリモート機器に送信するための第２の送信モジュール１２０４を含む。該第１の送信モジュール１２０２および第２の送信モジュール１２０４は、コンピュータ可読媒体１２２８に格納された／常駐するプロセッサ１２２６で走るプログラム、１つまたはより多くのプロセッサ１２２６に結合されたハードウェアモジュール、または、それらのいくつかの組み合わせであり得る。該パワー不均衡軽減システム１２１４は、ＵＥ２５０の構成要素であり得、図２に示すようなプロセッサ２７０および／またはメモリ２７２を含みうる。
【００９５】
［0107］  １つの構成において、ワイヤレス通信に関する装置１２００は、送信のための第１の手段および送信のための第２の手段を含む。該手段は、第１の送信モジュール１２０２、第２の送信モジュール１２０４および／または第１の送信手段および第２の送信手段によって現される（recited）機能を実行するために構成された装置１２００のパワー不均衡軽減システム１２１４でありうる。上で説明したように、第１の送信手段または第２の送信手段は、チャネル監視モジュール１０１２、パワーバック−オフモジュール１０１４、ＡＣＫパケット送信レート選択モジュール１０１６、アンテナ１２２０、アンテナ２５２ａ−２５２ｒ、プロセッサ２７０、メモリ２７２、送信データプロセッサ２６０、変調器２８０、および／または、第１の送信手段によって現される（recited）機能を実行するために構成されたＵＥ２５０のトランスミッタ２５４ａ−２５４ｒであり得る。別の観点において、上記手段は、上記手段によって現される（recited）機能を実行するように構成された任意のモジュールまたは任意の装置であることができる。
【００９６】
［0108］  図１３は、この開示の１つの観点に従う８０２．１１ワイヤレスネットワークにおけるリモートデータレートにおけるパワー不均衡の影響の軽減に関する方法１１００を示すフローダイヤグラムである。図１３に示すように、装置は、ブロック１３０２で示すように、ＷＬＡＮデータパケットが受信されるレートから独立して、ワイヤレスローカルエリアネットワーク（ＷＬＡＮ）アクノウリッジメント（ＡＣＫ）パケット送信レートを選択し得る。装置は、ブロック１３０４で示すように、選択されたＷＬＡＮ  ＡＣＫパケット送信レートでＷＬＡＮ  ＡＣＫパケットを、リモート機器に、送信もし得る。
【００９７】
［0109］  図１４は、パワー不均衡軽減システム１４１４を用いる装置１４００に関するハードウェア実装の例を示すダイヤグラムである。該パワー不均衡軽減システム１４１４は、バス１４２４によっておよそ示されるバスアーキテクチャを実装し得る。該バス１４２４は、所望の数の相互バス、および、パワー不均衡軽減システム１４１４の適切なアプリケーションによるブリッジ、および、一般的な設計制約を含むことができる。該バス１４２４は、プロセッサ１４２６、選択モジュール１４０２、送信モジュール１４０４、および、コンピュータ可読媒体１４２８によって示される、１つまたはより多くのプロセッサ、および／または、ハードウェアモジュールを含む様々な回路どうしをリンクする。該バス１４２４はまた、タイミング・ソース、周辺機器、電圧レギュレータ、および、電力管理回路のようなさまざまな他の回路をリンクさせることもでき、これらは、当該技術でよく知られており、従って、これ以上説明しない。
【００９８】
［0110］  該装置は、トランシーバ１４２２に結合されたパワー不均衡軽減システム１４１４を含む。該トランシーバ１４２２は、１つまたはより多くのアンテナ１４２０に結合される。該トランシーバ１４２２は、伝送媒体を介してさまざまな他の装置と通信するための手段を提供する。該パワー不均衡軽減システム１４１４は、コンピュータ可読媒体１４２８に結合されたプロセッサ１４２６を含む。該プロセッサ１４２６は、コンピュータ可読媒体１４２８に格納されたソフトウェアの実行を含む、一般的な処理を担う。プロセッサ１４２６によって実行されるとき、該ソフトウェアは、パワー不均衡軽減システム１４１４が任意の特定の装置に関して上記説明した様々な機能を実行するようにする。該コンピュータ可読媒体１４２８は、また、ソフトウェアを実行する際にプロセッサ１４２６によって操作されるデータを格納するために使用されることもできる。
【００９９】
［0111］  該パワー不均衡軽減システム１４１４は、ＷＬＡＮデータパケットが受信されるレートから独立してワイヤレスローカルエリアネットワーク（ＷＬＡＮ）アクノウリッジメント（ＡＣＫ）パケット送信レートを選択することに関する選択モジュール１４０２、および、選択されたＷＬＡＮ  ＡＣＫパケット送信レートでＷＬＡＮ  ＡＣＫパケットをリモート機器へ送信するための送信モジュール１４０４を、さらに、含む。該選択モジュール１４０２および送信モジュール１４０４は、コンピュータ可読媒体１４２８に格納された／常駐するプロセッサ１４２６で走るプログラム、１つまたはより多くのプロセッサ１４２６に結合されたハードウェアモジュール、または、それらのいくつかの組み合わせであり得る。該パワー不均衡軽減システム１４１４は、ＵＥ２５０の構成要素であり得、図２に示すようなプロセッサ２７０および／またはメモリ２７２を含みうる。
【０１００】
［0112］  １つの構成において、ワイヤレス通信に関する該装置１４００は、選択のため手段を含む。該手段は、選択モジュール１４０２、および／または、選択手段によって現される（recited）機能を実行するために構成された装置１４００のパワー不均衡軽減システム１４１４でありうる。上で説明したように、選択手段は、第１の送信手段によって現される（recited）機能を実行するために構成されたＵＥ２５０の、チャネル監視モジュール１０１２、パワーバック−オフモジュール１０１４、ＡＣＫパケット送信レート選択モジュール１０１６、プロセッサ２７０およびまたはメモリ２７２でありうる。
【０１０１】
［0113］  １つの構成において、ワイヤレス通信のための装置１４００は、送信のための手段を含む。該手段は、送信モジュール１４０４、および／または、送信手段によって現される（recited）機能を実行するために構成された装置１４００のパワー不均衡軽減システム１４１４でありうる。上で説明したように、送信に関する手段は、第１の送信手段によって現される（recited）機能を実行するために構成されたＵＥ２５０のアンテナ１４２０、アンテナ２５２ａ−２５２ｒ、プロセッサ２７０、メモリ２７２、送信データプロセッサ２６０、変調器２８０、および／または、トランスミッタ２５４ａ−２５４ｒでありうる。別の観点において、上記手段は、上記手段によって現される（recited）機能を実行するように構成された任意のモジュールまたは任意の装置であることができる。
【０１０２】
［0114］  上記例は、ＬＴＥシステムに実装された観点を説明する。開示の範囲は、しかし、そのような限定をされない。様々な観点は、限定されないが、ＣＤＭＡシステム、ＴＤＭＡシステム、ＦＤＭＡシステム、および、ＯＦＤＭＡシステムを含む任意の様々な通信システムを用いるような他の通信システムと共に用いることに関して、適合されることができる。
【０１０３】
［0115］  開示したプロセスにおける、ステップの特定の順序または階層は、例示的なアプローチの例であることが理解される。設計の選択に基づいて、これら処理におけるステップの具体的な順序または階層は、本開示の範囲内にとどまりながら再構成されうることが理解される。添付の方法の請求項は、サンプルの順序において、さまざまなステップの要素を示し、そして、示された具体的な順序または階層に限定されるようには意図されない。
【０１０４】
［0116］  当業者であれば、情報および信号は、さまざまな異なるテクノロジーおよびテクニックのうちの何れかを用いて表されうることを理解するであろう。例えば、上記の説明を通して参照されうるデータ、命令群、コマンド、情報、信号、ビット、シンボル、およびチップは、電圧、電流、電磁波、磁界あるいは磁気粒子、光学界または光学粒子、あるいはそれら任意の組み合わせによって表わされうる。
【０１０５】
［0117］  当業者は、ここに開示された観点に関連して説明されたさまざまな例示的な論理ブロック、モジュール、回路、およびアルゴリズムステップが、電子ハードウェア、コンピュータソフトウェア、あるいは両方の組み合わせとしてインプリメントされうることをさらに理解するであろう。ハードウェアおよびソフトウェアのこの互換性を明確に示すために、さまざまな例示的なコンポーネント、ブロック、モジュール、回路、およびステップを、これらの機能の観点から上記で概して記述している。このような機能が、ハードウェアまたはソフトウェアとして実現されるか否かは、システム全体に課せられている、特定のアプリケーションおよび設計制約に依存する。当業者は、各々の特定のアプリケーションに関して、多様な方法で説明された機能をインプリメントすることができるが、このようなインプリメンテーションの決定は、本開示の範囲からの逸脱を引き起こしていると解釈されるべきでない。
【０１０６】
［0118］  ここで開示された観点と関係して記述される様々な実例となる論理ブロック、モジュール、および、回路は、汎用のプロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、もしくは、ここに記述された機能を実行するよう設計されたこれらの任意の組み合わせと一緒に実行または実装され得る。汎用プロセッサはマイクロプロセッサであり得るが、代替で、プロセッサは任意の従来のプロセッサ、コントローラ、マイクロコントローラ、もしくはステートマシンであり得る。プロセッサは、また、例えば、ＤＳＰとマクロプロセッサ、複数のマイクロプロセッサ、ＤＳＰコアに結合した１またはより多くのマイクロプロセッサ、もしくは任意の他のそのような構成の組み合わせといったコンピューティングデバイスの組み合わせとしても実行され得る。
【０１０７】
［0119］  ここで開示された観点に関係して記述される方法もしくはアルゴリズムは、直接的にハードウェアに、プロセッサによって実行されるソフトウェアモジュールに、もしくは、それら二つの組み合わせにおいて具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野において周知のその他任意の形態の格納媒体内に存在しうる。例示的な格納媒体は、プロセッサが格納媒体から情報を読み取り、格納媒体に情報を書き込むことができるように、プロセッサに結合されている。代替において、格納媒体は、プロセッサと一体化されうる。プロセッサおよび格納媒体は、ＡＳＩＣ内に存在しうる。ＡＳＩＣは、ユーザ端末内に存在しうる。代替において、プロセッサおよび格納媒体は、ユーザ端末中にディスクリートコンポーネントとして存在していてもよい。
【０１０８】
［0120］  当業者がこの開示を実施および使用することを可能にするために、開示された態様の以上の記述は提供される。これらの観点に対する様々な変更は当業者には容易に明らかであり、ここにおいて定義された包括的な原理は、本開示の精神または範囲を逸脱することなく他の観点に適用可能である。したがって、この開示は、ここに示された観点に限定されるようには意図されず、ここに開示される原理および新規な特徴と一致する最も広い範囲を与えられることとなる。
【図１】
2015181263.tif 000009
【図２】
2015181263.tif 000010
【図３】
2015181263.tif 000011
【図５】
2015181263.tif 000012
【図６】
2015181263.tif 000013
【図７】
2015181263.tif 000014
【図８】
2015181263.tif 000015
【図９】
2015181263.tif 000016
【図１０】
2015181263.tif 000017
【図１１】
2015181263.tif 000018
【図１２】
2015181263.tif 000019
【図１３】
2015181263.tif 000020
【図１４】
2015181263.tif 000021
【図４】
2015181263.tif 000022
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
ワイヤレスローカルエリアネットワーク（ＷＬＡＮ）システムにおけるワイヤレス通信の方法であって、
ＷＬＡＮデータパケットがＷＬＡＮアクセスポイントから受信されるデータレートとは異なるワイヤレスローカルエリアネットワーク（ＷＬＡＮ）アクノウリッジメント（ＡＣＫ）パケット送信データレートを、マルチ−無線ユーザ機器（ＵＥ）によって選択すること、そこにおいて、該ＷＬＡＮデータパケットの送信データレートがＷＬＡＮベーシックサービスセットにおいて規定された最低データレートであると仮定することによって、該ＷＬＡＮ  ＡＣＫパケット送信データレートが選択される、
および、
該選択されたＷＬＡＮ  ＡＣＫパケット送信データレートでＷＬＡＮ  ＡＣＫパケットを、該ＷＬＡＮアクセスポイントへ、該マルチ−無線ＵＥによって送信すること、
を備える、方法。
【請求項２】
ワイヤレスローカルエリアネットワーク（ＷＬＡＮ）システムにおけるワイヤレス通信に関して構成されたマルチ−無線ユーザ機器（ＵＥ）であって、
該マルチ−無線ＵＥは、
メモリ、および、該メモリに結合された少なくとも１つのプロセッサを備え、
該少なくとも１つのプロセッサは、
ＷＬＡＮデータパケットがＷＬＡＮアクセスポイントから受信されるデータレートとは異なるワイヤレスローカルエリアネットワーク（ＷＬＡＮ）アクノウリッジメント（ＡＣＫ）パケット送信データレートを選択するために、そこにおいて、該ＷＬＡＮデータパケットの送信データレートがＷＬＡＮベーシックサービスセットにおいて規定された最低データレートであると仮定することによって、該ＷＬＡＮ  ＡＣＫパケット送信データレートが選択される、
および、
該選択されたＷＬＡＮ  ＡＣＫパケット送信データレートでＷＬＡＮ  ＡＣＫパケットを、該ＷＬＡＮアクセスポイントへ、送信するために、
構成される、
マルチ−無線ＵＥ。
【請求項３】
ワイヤレスローカルエリアネットワーク（ＷＬＡＮ）システムにおけるワイヤレス通信に関して構成されたコンピュータプログラムであって、
該コンピュータプログラムは、
プログラムコードを備え、
該プログラムコードは、
ＷＬＡＮデータパケットがＷＬＡＮアクセスポイントから受信されるデータレートとは異なるワイヤレスローカルエリアネットワーク（ＷＬＡＮ）アクノウリッジメント（ＡＣＫ）パケット送信データレートを、マルチ−無線ユーザ機器（ＵＥ）によって選択することを少なくとも１つのコンピュータに行わせるためのプログラムコード、そこにおいて、該ＷＬＡＮデータパケットの送信データレートがＷＬＡＮベーシックサービスセットにおいて規定された最低データレートであると仮定することによって、該ＷＬＡＮ  ＡＣＫパケット送信データレートが選択される、
および、
該選択されたＷＬＡＮ  ＡＣＫパケット送信データレートでＷＬＡＮ  ＡＣＫパケットを、該ＷＬＡＮアクセスポイントへ、該マルチ−無線ユーザ機器（ＵＥ）によって送信することを該少なくとも１つのコンピュータに行わせるためのプログラムコード、
を備える、
コンピュータプログラム。
【請求項４】
ワイヤレスローカルエリアネットワーク（ＷＬＡＮ）システムにおけるワイヤレス通信に関して構成された装置であって、
該装置は、
ＷＬＡＮデータパケットがＷＬＡＮアクセスポイントから受信されるデータレートとは異なるワイヤレスローカルエリアネットワーク（ＷＬＡＮ）アクノウリッジメント（ＡＣＫ）パケット送信データレートをマルチ−無線ユーザ機器／ＵＥによって選択するための手段、そこにおいて、該ＷＬＡＮデータパケットの送信データレートがＷＬＡＮベーシックサービスセットにおいて規定された最低データレートであると仮定することによって、該ＷＬＡＮ  ＡＣＫパケット送信データレートが選択される、
および、
該選択されたＷＬＡＮ  ＡＣＫパケット送信データレートでＷＬＡＮ  ＡＣＫパケットを、該ＷＬＡＮアクセスポイントへ、該マルチ−無線ＵＥが送信するための手段、
を備える、装置。
【手続補正２】
【補正対象書類名】明細書
【補正対象項目名】０１０８
【補正方法】変更
【補正の内容】
【０１０８】
［0120］  当業者がこの開示を実施および使用することを可能にするために、開示された態様の以上の記述は提供される。これらの観点に対する様々な変更は当業者には容易に明らかであり、ここにおいて定義された包括的な原理は、本開示の精神または範囲を逸脱することなく他の観点に適用可能である。したがって、この開示は、ここに示された観点に限定されるようには意図されず、ここに開示される原理および新規な特徴と一致する最も広い範囲を与えられることとなる。
以下に本願発明の当初の特許請求の範囲に記載された発明を付記する。
［Ｃ１］
ワイヤレスローカルエリアネットワーク（ＷＬＡＮ）システムにおけるワイヤレス通信に関する方法であって、
リモート機器へ第１の送信パワーレベルでワイヤレスローカルエリアネットワーク（ＷＬＡＮ）アクノウリッジメント（ＡＣＫ）パケットを送信すること、
および、
該ＷＬＡＮ  ＡＣＫパケットの該第１の送信パワーレベルより低い第２の送信パワーレベルでＷＬＡＮデータパケットを、該リモート機器へ、送信すること、
を備える、方法。
［Ｃ２］
Ｃ１の方法であって、
マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択すること、
をさらに備える、方法。
［Ｃ３］
Ｃ１の方法であって、
該ＷＬＡＮ  ＡＣＫパケットからマルチ−無線局の他のブロードバンド無線モデムに対する干渉のレベルに従って、該ＷＬＡＮ  ＡＣＫパケットに関する該第１の送信パワーレベルを選択すること、
をさらに備える、方法。
［Ｃ４］
Ｃ１の方法であって、
ＷＬＡＮ  ＡＣＫパケット送信パワーレベルに関するＡＣＫパワーバック−オフレベルを格納すること、
ＷＬＡＮデータパケット送信パワーレベルに関するデータパワーバック−オフレベルを格納すること、
該格納されたＡＣＫパワーバック−オフレベルに基づく該第１の送信パワーレベルで該ＷＬＡＮ  ＡＣＫパケットを送信すること、
および、
該格納されたデータパワーバック−オフレベルに基づく該第２の送信パワーレベルで該ＷＬＡＮデータパケットを送信すること、
をさらに備える、方法。
［Ｃ５］
Ｃ４の方法であって、
マルチ−無線局とＷＬＡＮアクセスポイントとの間のパス−ロス、ＡＣＫパケット物理レイヤレート、および、該ＡＣＫパケット物理レイヤレートでＡＣＫパケットを受信するための該ＷＬＡＮアクセスポイントのレシーバの所定の感度に従って、該格納されたデータパワーバック−オフレベルをセットすること、
をさらに備える、方法。
［Ｃ６］
Ｃ４の方法であって、
マルチ−無線局のワイヤレスモデムの受信した信号強度、マルチ−無線局とＷＬＡＮアクセスポイントとの間のパス−ロス、および、ＡＣＫパケット物理レイヤレートでＡＣＫパケットを受信するための該ＷＬＡＮアクセスポイントのレシーバの所定の感度に従って、該格納されたデータパワーバック−オフレベルをセットすること、
をさらに備える、方法。
［Ｃ７］
ワイヤレスローカルエリアネットワーク（ＷＬＡＮ）システムにおけるワイヤレス通信に関して構成された装置であって、
該装置は、
メモリ、および、該メモリに結合された少なくとも１つのプロセッサを備え、
該少なくとも１つのプロセッサは、
リモート機器へ第１の送信パワーレベルでワイヤレスローカルエリアネットワーク（ＷＬＡＮ）アクノウリッジメント（ＡＣＫ）パケットを送信するために、
および、
該ＷＬＡＮ  ＡＣＫパケットの該第１の送信パワーレベルより低い第２の送信パワーレベルでＷＬＡＮデータパケットを、該リモート機器へ、送信するために、
構成される、
装置。
［Ｃ８］
Ｃ７の装置であって、
そこにおいて、該少なくとも１つのプロセッサは、マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択するために、さらに構成されている、装置。
［Ｃ９］
Ｃ７の装置であって、
そこにおいて、該少なくとも１つのプロセッサは、該ＷＬＡＮ  ＡＣＫパケットからマルチ−無線局の他のブロードバンド無線モデムに対する干渉のレベルに従って、該ＷＬＡＮ  ＡＣＫパケットに関する該第１の送信パワーレベルを選択するために、さらに構成されている、装置。
［Ｃ１０］
Ｃ７の装置であって、
そこにおいて、該少なくとも１つのプロセッサは、
ＷＬＡＮ  ＡＣＫパケット送信パワーレベルに関するＡＣＫパワーバック−オフレベルを格納するために、
ＷＬＡＮデータパケット送信パワーレベルに関するデータパワーバック−オフレベルを格納するために、
該格納されたＡＣＫパワーバック−オフレベルに基づく該第１の送信パワーレベルで該ＷＬＡＮ  ＡＣＫパケットを送信するために、
および、
該格納されたデータパワーバック−オフレベルに基づく該第２の送信パワーレベルで該ＷＬＡＮデータパケットを送信するために、
さらに構成されている、装置。
［Ｃ１１］
Ｃ１０の装置であって、
そこにおいて、該少なくとも１つのプロセッサは、マルチ−無線局とＷＬＡＮアクセスポイントとの間のパス−ロス、ＡＣＫパケット物理レイヤレート、および、該ＡＣＫパケット物理レイヤレートでＡＣＫパケットを受信するための該ＷＬＡＮアクセスポイントのレシーバの所定の感度に従って、該格納されたデータパワーバック−オフレベルをセットするために、さらに構成されている、装置。
［Ｃ１２］
Ｃ１０の装置であって、
そこにおいて、該少なくとも１つのプロセッサは、マルチ−無線局のワイヤレスモデムの受信した信号強度、該マルチ−無線局とＷＬＡＮアクセスポイントとの間のパス−ロス、および、ＡＣＫパケット物理レイヤレートでＡＣＫパケットを受信するための該ＷＬＡＮアクセスポイントのレシーバの所定の感度に従って、該格納されたデータパワーバック−オフレベルをセットするために、さらに構成されている、装置。
［Ｃ１３］
ワイヤレスローカルエリアネットワーク（ＷＬＡＮ）システムにおけるワイヤレス通信に関して構成されたコンピュータプログラムプロダクトであって、
該コンピュータプログラムプロダクトは、
その上に記録された非一時的なプログラムコードを有する非一時的なコンピュータ可読媒体を備え、
該プログラムコードは、
リモート機器へ第１の送信パワーレベルでワイヤレスローカルエリアネットワーク（ＷＬＡＮ）アクノウリッジメント（ＡＣＫ）パケットを送信するためのプログラムコード、
および、
該ＷＬＡＮ  ＡＣＫパケットの該第１の送信パワーレベルより低い第２の送信パワーレベルでＷＬＡＮデータパケットを、該リモート機器へ、送信するためのプログラムコード
を備える、
プログラムプロダクト。
［Ｃ１４］
Ｃ１３のコンピュータプログラムプロダクトであって、
そこにおいて、該プログラムコードは、マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択するためのプログラムコードを、さらに備えるプログラムプロダクト。
［Ｃ１５］
ワイヤレスローカルエリアネットワーク（ＷＬＡＮ）システムにおけるワイヤレス通信に関して構成された装置であって、
該装置は、
リモート機器へ第１の送信パワーレベルでワイヤレスローカルエリアネットワーク（ＷＬＡＮ）アクノウリッジメント（ＡＣＫ）パケットを送信するための手段、
および、
該ＷＬＡＮ  ＡＣＫパケットの該第１の送信パワーレベルより低い第２の送信パワーレベルでＷＬＡＮデータパケットを、該リモート機器へ、送信するための手段
を備える、装置。
［Ｃ１６］
Ｃ１５の装置であって、
マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択するための手段を、さらに備える、装置。
［Ｃ１７］
ワイヤレスローカルエリアネットワーク（ＷＬＡＮ）システムにおけるワイヤレス通信の方法であって、
ＷＬＡＮデータパケットが受信されるレートから独立してワイヤレスローカルエリアネットワーク（ＷＬＡＮ）アクノウリッジメント（ＡＣＫ）パケット送信レートを選択すること、
および、
該選択されたＷＬＡＮ  ＡＣＫパケット送信レートでＷＬＡＮ  ＡＣＫパケットを、リモート機器へ、送信すること、
を備える、方法。
［Ｃ１８］
Ｃ１７の方法であって、
そこにおいて、該ＷＬＡＮデータパケットの送信レートがＷＬＡＮベーシックサービスセットにおいて規定された最低レートであると仮定することによって、該ＷＬＡＮ  ＡＣＫパケット送信レートが選択される、方法。
［Ｃ１９］
Ｃ１７の方法であって、
そこにおいて、該ＷＬＡＮシステムのＷＬＡＮ規格は、電子および電気技術学会（ＩＥＥＥ）８０２．１１ａｆ規格またはＩＥＥＥ８０２．１１ａｈ規格である、方法。
［Ｃ２０］
ワイヤレスローカルエリアネットワーク（ＷＬＡＮ）システムにおけるワイヤレス通信に関して構成された装置であって、
該装置は、
メモリ、および、該メモリに結合された少なくとも１つのプロセッサを備え、
該少なくとも１つのプロセッサは、
ＷＬＡＮデータパケットが受信されるレートから独立してワイヤレスローカルエリアネットワーク（ＷＬＡＮ）アクノウリッジメント（ＡＣＫ）パケット送信レートを選択するために、
および、
該選択されたＷＬＡＮ  ＡＣＫパケット送信レートでＷＬＡＮ  ＡＣＫパケットを、リモート機器へ、送信するために、
構成される、
装置。
［Ｃ２１］
ワイヤレスローカルエリアネットワーク（ＷＬＡＮ）システムにおけるワイヤレス通信に関して構成されたコンピュータプログラムプロダクトであって、
該コンピュータプログラムプロダクトは、
その上に記録された非一時的なプログラムコードを有する非一時的なコンピュータ可読媒体を備え、
該プログラムコードは、
ＷＬＡＮデータパケットが受信されるレートから独立してワイヤレスローカルエリアネットワーク（ＷＬＡＮ）アクノウリッジメント（ＡＣＫ）パケット送信レートを選択するためのプログラムコード、
および、
該選択されたＷＬＡＮ  ＡＣＫパケット送信レートを、リモート機器へ、送信するためのプログラムコード、
を備える、
プログラムプロダクト。
［Ｃ２２］
ワイヤレスローカルエリアネットワーク（ＷＬＡＮ）システムにおけるワイヤレス通信に関して構成された装置であって、
該装置は、
ＷＬＡＮデータパケットが受信されるレートから独立してワイヤレスローカルエリアネットワーク（ＷＬＡＮ）アクノウリッジメント（ＡＣＫ）パケット送信レートを選択するための手段、
および、
該選択されたＷＬＡＮ  ＡＣＫパケット送信レートでＷＬＡＮ  ＡＣＫパケットを、リモート機器へ、送信するための手段、
を備える、装置。
【手続補正書】
【提出日】平成27年7月27日(2015.7.27)
【手続補正１】
【補正対象書類名】明細書
【補正対象項目名】００２０
【補正方法】変更
【補正の内容】
【００２０】
［0020］  同様の参照記号が全体を通して同一に扱われている図面と結合して考慮するとき、この開示の特徴、性質および利点は、以下で述べられる詳細な説明から、より明らかになる。
【図１】図１は、１つの観点に従うワイヤレス通信マルチプル接続システムを例示する。
【図２】図２は、１つの観点に従う通信システムのブロックダイヤグラムである。
【図３】図３は、ロングタームエボリューション（ＬＴＥ）通信のダウンリンクにおけるフレーム構成の１例を例示する。
【図４】図４は、ロングタームエボリューション（ＬＴＥ）通信のアップリンクにおけるフレーム構成を概念的に例示するブロックダイヤグラムである。
【図５】図５は、ワイヤレス通信環境の１例を例示する。
【図６】図６は、マルチ−無線ワイヤレス機器に関する構造の１例のブロックダイヤグラムである。
【図７】図７は、所定の判定期間における７例の無線の間の各潜在的衝突を示すグラフである。
【図８】図８は、共存管理（Coexistence Manager）（ＣｘＭ）の経過の１例の工程を示すダイヤグラムである。
【図９】図９は、隣接する周波数バンドを例示するブロックダイヤグラムである。
【図１０】図１０は、この開示の１つの観点に従うマルチ−無線共存管理中のＷＬＡＮ（ワイヤレスローカルエリアネットワーク）においてリモートデータレートにおけるパワー不均衡の影響の軽減に関するシステムのブロックダイヤグラムである。
【図１１】図１１は、この開示の１つの観点に従うリモートデータレートにおけるパワー不均衡の影響の軽減に関する方法を例示するフローダイヤグラムである。
【図１２】図１２は、この開示の１観点に従うパワー不均衡軽減システムを用いる装置に関するハードウェア実装の例を例示するダイヤグラムである。
【図１３】図１３は、この開示の１つの観点に従う８０２．１１ワイヤレスネットワークにおけるリモートデータレートにおけるパワー不均衡の影響の軽減に関する方法を示すフローダイヤグラムである。
【図１４】図１４は、この開示の１つの観点に従うパワー不均衡軽減システムを用いる装置に関するハードウェア実装の例を示すダイヤグラムである。
【外国語明細書】
2015181263000001.pdf